(57)【特許請求の範囲】
【請求項１】
ワイヤレス通信デバイス（２５０）により実行される、測定報告のための方法であって、前記測定報告は、第１のワイヤレス通信ネットワーク（２０１）に関連付けられる測定値を第２のワイヤレス通信ネットワーク（２０２）において動作するネットワークノード（２４０）へ報告すること、を含み、前記第１のワイヤレス通信ネットワーク（２０１）は第１の無線アクセス技術（ＲＡＴ）に従って動作し、前記第２のワイヤレス通信ネットワーク（２０２）は第２のＲＡＴに従って動作し、前記方法は、
前記ネットワークノード（２４０）から、前記第１のワイヤレス通信ネットワーク（２０１）において動作する１つ以上の無線アクセスネットワークノード（２１１ａ，２１１ｂ，２１２ａ，２１２ｂ）の識別子（４５０）を取得すること（４０１，５０１）であって、前記取得される前記識別子（４５０）により識別される前記１つ以上の無線アクセスネットワークノード（２１１ａ，２１１ｂ，２１２ａ，２１２ｂ）への、前記第１のワイヤレス通信ネットワーク（２０１）における前記ワイヤレス通信デバイス（２５０）のモビリティが許可される、取得することと、
前記第１のワイヤレス通信ネットワーク（２０１）における前記ワイヤレス通信デバイス（２５０）の前記モビリティが許可される前記無線アクセスネットワークノード（２１１ａ，２１１ｂ，２１２ａ，２１２ｂ）を識別する前記識別子（４５０）のうちの少なくとも１つを含むブラックリストを識別又は判定することと、
前記ネットワークノード（２４０）への測定報告において前記ブラックリストを適用して、前記測定報告から、前記ブラックリストに含まれる前記識別子により識別される前記無線アクセスネットワークノード（２１１ａ，２１１ｂ，２１２ａ，２１２ｂ）を除外すること（４０２，５０２）と、
を含む方法。
【請求項２】
測定報告から前記除外すること（４０２，５０２）は、前記識別される前記無線アクセスネットワークノード（２１１ａ，２１１ｂ，２１２ａ，２１２ｂ）のうちの少なくとも１つを、測定報告をトリガすることから除外すること、を含む、請求項１に記載の方法。
【請求項３】
測定報告から前記除外すること（４０２，５０２）は、前記識別される前記無線アクセスネットワークノード（２１１ａ，２１１ｂ，２１２ａ，２１２ｂ）のうちの少なくとも１つについての測定結果を、前記ネットワークノード（２４０）への測定報告（４７０）に含めることから除外すること、を含む、請求項１〜２のいずれかに記載の方法。
【請求項４】
前記除外すること（４０２，５０２）は、識別される前記無線アクセスネットワークノード（２１１ａ，２１１ｂ，２１２ａ，２１２ｂ）のサブセットを除外すること、を含む、請求項１〜３のいずれかに記載の方法。
【請求項５】
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）から信号（４６１，４６３）を受信すること（４０３ａ，４０３ｂ，５０３）と、
受信される前記信号（４６１，４６３）に関連するメトリック及び／又は測定値を前記ネットワークノード（２４０）へ報告すること（４０４，５０４）と、前記測定値の前記報告は、前記除外すること（４０２，５０２）に基づくことと、
をさらに含む、請求項１〜４のいずれかに記載の方法。
【請求項６】
前記１つ以上の無線アクセスネットワークノード（２１１ａ，２１１ｂ，２１２ａ，２１２ｂ）の前記識別子（４５０）は、モビリティセット（３７０）内の１つ以上の無線アクセスネットワークノード（２１１ａ，２１１ｂ，２１２ａ，２１２ｂ）の識別子である、請求項１〜５のいずれかに記載の方法。
【請求項７】
前記１つ以上の無線アクセスネットワークノード（２１１ａ，２１１ｂ，２１２ａ，２１２ｂ）の前記識別子（４５０）は、
−ＳＳＩＤ（Service  Set  Identifiers）、
−ＨＥＳＳＩＤ（Homogeneous  Extended  Service  Set  Identifiers）、
−ＢＳＳＩＤ（Basic  Service  Set  Identifiers）、
−領域（Realm）、及び
−ＰＬＭＮ（Public  Land  Mobile  Network）、
のうちの１つ以上である、請求項１〜６のいずれかに記載の方法。
【請求項８】
前記第１のワイヤレス通信ネットワーク（２０１）は、ワイヤレスローカルエリアネットワーク（ＷＬＡＮ）であり、前記第２のワイヤレス通信ネットワーク（２０２）は、ＬＴＥ（Long  Term  Evolution）ネットワーク及びＵＭＴＳ（Universal  Mobile  Telecommunications  System）ネットワークのいずれかといった３ＧＰＰネットワークである、
請求項１〜７のいずれかに記載の方法。
【請求項９】
前記１つ以上の無線アクセスネットワークノード（２１１ａ，２１１ｂ，２１２ａ，２１２ｂ）の前記識別子（４５０）は、無線リソース制御（ＲＲＣ）シグナリングを通じて前記ネットワークノード（２４０）から取得される、請求項１〜８のいずれかに記載の方法。
【請求項１０】
前記ネットワークノード（２４０）への測定報告から除外されるべき、前記第１のワイヤレス通信ネットワーク（２０１）において動作するさらなる無線アクセスネットワークノード（２１１ａ，２１１ｂ，２１２ａ，２１２ｂ）の標識を取得すること（４００）と、
前記標識に基づいて、前記ネットワークノード（２４０）への測定報告から、前記さらなる無線アクセスネットワークノード（２１１ａ、２１１ｂ、２１２ａ，２１２ｂ）を除外すること（４０２，５０２）と、
をさらに含む、請求項１〜９のいずれかに記載の方法。
【請求項１１】
測定報告のために構成されるワイヤレス通信デバイス（２５０）であって、前記測定報告は、第１のワイヤレス通信ネットワーク（２０１）に関連付けられる測定値を第２のワイヤレス通信ネットワーク（２０２）において動作するネットワークノード（２４０）へ報告すること、を含み、前記第１のワイヤレス通信ネットワーク（２０１）は第１の無線アクセス技術（ＲＡＴ）に従って動作し、前記第２のワイヤレス通信ネットワーク（２０２）は第２のＲＡＴに従って動作し、前記ワイヤレス通信デバイス（２５０）は、
前記ネットワークノード（２４０）から、前記第１のワイヤレス通信ネットワーク（２０１）において動作する１つ以上の無線アクセスネットワークノード（２１１ａ，２１１ｂ，２１２ａ，２１２ｂ）の識別子（４５０）を取得し、前記識別子（４５０）により識別される前記１つ以上の無線アクセスネットワークノード（２１１ａ，２１１ｂ，２１２ａ，２１２ｂ）への、前記第１のワイヤレス通信ネットワーク（２０１）における前記ワイヤレス通信デバイス（２５０）のモビリティは許可され、
前記第１のワイヤレス通信ネットワーク（２０１）における前記ワイヤレス通信デバイス（２５０）の前記モビリティが許可される前記無線アクセスネットワークノード（２１１ａ，２１１ｂ，２１２ａ，２１２ｂ）を識別する前記識別子（４５０）のうちの少なくとも１つを含むブラックリストを識別又は判定し、
前記ネットワークノード（２４０）への測定報告において前記ブラックリストを適用して、前記測定報告から、前記ブラックリストに含まれる前記識別子により識別される前記無線アクセスネットワークノード（２１１ａ，２１１ｂ，２１２ａ，２１２ｂ）を除外する、
ようにさらに構成されるワイヤレス通信デバイス（２５０）。
【請求項１２】
前記ワイヤレス通信デバイス（２５０）は、前記識別される前記無線アクセスネットワークノード（２１１ａ，２１１ｂ，２１２ａ，２１２ｂ）のうちの少なくとも１つを、測定報告をトリガすることから除外する、ように構成される、請求項１１に記載のワイヤレス通信デバイス（２５０）。
【請求項１３】
前記ワイヤレス通信デバイス（２５０）は、前記識別される前記無線アクセスネットワークノード（２１１ａ，２１１ｂ，２１２ａ，２１２ｂ）のうちの少なくとも１つについての測定結果を、前記ネットワークノード（２４０）への測定報告（４７０）に含めることから除外する、ように構成される、請求項１１〜１２のいずれかに記載のワイヤレス通信デバイス（２５０）。
【請求項１４】
前記ワイヤレス通信デバイス（２５０）は、識別される前記無線アクセスネットワークノード（２１１ａ，２１１ｂ，２１２ａ，２１２ｂ）のサブセットを除外する、ように構成される、請求項１１〜１３のいずれかに記載のワイヤレス通信デバイス（２５０）。
【請求項１５】
前記ワイヤレス通信デバイス（２５０）は、
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）から信号（４６１，４６３）を受信し、
受信される前記信号（４６１，４６３）に関連するメトリック及び／又は測定値を前記ネットワークノード（２４０）へ報告する、
ようにさらに構成され、
前記ワイヤレス通信デバイス（２５０）は、前記除外に基づいて、前記測定値を報告する、
ように構成される、
請求項１１〜１４のいずれかに記載のワイヤレス通信デバイス（２５０）。
【請求項１６】
前記１つ以上の無線アクセスネットワークノード（２１１ａ，２１１ｂ，２１２ａ，２１２ｂ）の前記識別子（４５０）は、モビリティセット（３７０）内の１つ以上の無線アクセスネットワークノード（２１１ａ，２１１ｂ，２１２ａ，２１２ｂ）の識別子である、請求項１１〜１５のいずれかに記載のワイヤレス通信デバイス（２５０）。
【請求項１７】
前記１つ以上の無線アクセスネットワークノード（２１１ａ，２１１ｂ，２１２ａ，２１２ｂ）の前記識別子（４５０）は、
−ＳＳＩＤ（Service  Set  Identifiers）、
−ＨＥＳＳＩＤ（Homogeneous  Extended  Service  Set  Identifiers）、
−ＢＳＳＩＤ（Basic  Service  Set  Identifiers）、
−領域（Realm）、及び
−ＰＬＭＮ（Public  Land  Mobile  Network）、
のうちの１つ以上である、請求項１１〜１６のいずれかに記載のワイヤレス通信デバイス（２５０）。
【請求項１８】
前記第１のワイヤレス通信ネットワーク（２０１）は、ワイヤレスローカルエリアネットワーク（ＷＬＡＮ）であり、前記第２のワイヤレス通信ネットワーク（２０２）は、ＬＴＥ（Long  Term  Evolution）ネットワーク及びＵＭＴＳ（Universal  Mobile  Telecommunications  System）ネットワークのいずれかといった３ＧＰＰネットワークである、
請求項１１〜１７のいずれかに記載のワイヤレス通信デバイス（２５０）。
【請求項１９】
前記１つ以上の無線アクセスネットワークノード（２１１ａ，２１１ｂ，２１２ａ，２１２ｂ）の前記識別子（４５０）は、無線リソース制御（ＲＲＣ）シグナリングを通じて前記ネットワークノード（２４０）から取得される、請求項１１〜１８のいずれかに記載のワイヤレス通信デバイス（２５０）。
【請求項２０】
前記ネットワークノード（２４０）への測定報告から除外されるべき、前記第１のワイヤレス通信ネットワーク（２０１）において動作するさらなる無線アクセスネットワークノード（２１１ａ，２１１ｂ，２１２ａ，２１２ｂ）の標識を取得し、
前記標識に基づいて、前記ネットワークノード（２４０）への測定報告から、前記さらなる無線アクセスネットワークノード（２１１ａ，２１１ｂ，２１２ａ，２１２ｂ）を除外する、
ようにさらに構成される、請求項１１〜１９のいずれかに記載のワイヤレス通信デバイス（２５０）。
【請求項２１】
プロセッサ（７８０）において実行されると、請求項１〜１０のいずれかの前記方法を前記プロセッサ（７８０）に行わせるソフトウェア命令、を含むコンピュータプログラム。
【発明の詳細な説明】
【技術分野】
【０００１】
ここでの実施形態は、様々な無線アクセス技術を伴うワイヤレス通信ネットワークの統合のためのワイヤレス通信デバイス、ネットワークノード及びそれらにおける方法に関する。より具体的には、ここでの実施形態は、そうしたワイヤレス通信ネットワークの間の測定報告に関する。
【背景技術】
【０００２】
典型的な無線通信ネットワークにおいて、移動局及び／又はユーザ機器（ＵＥ）としても知られるワイヤレス通信デバイスは、１つ以上のコアネットワーク（ＣＮ）へ無線アクセスネットワーク（ＲＡＮ）を介して通信する。無線アクセスネットワークは、複数のセルエリアへ分割される地理的エリアをカバーし、各セルエリアは例えば無線基地局（ＲＢＳ）である基地局によりサービスされる。基地局は、いくつかのネットワークでは、例えば“ノードＢ”又は“ｅＮｏｄｅＢ”とも呼ばれ得る。セルは、基地局サイトにおける無線基地局により、又はアンテナと無線基地局とが共設されないケースではアンテナサイトにより無線カバレッジが提供される地理的エリアである。各セルは、セル内でブロードキャストされる、局所的な無線エリアの範囲内のアイデンティティにより識別される。モバイルネットワーク全体でセルを一意に識別する他のアイデンティティもまたセル内でブロードキャストされる。１つの基地局が１つ以上のセルを有してもよい。セルは、ダウンリンク及び／又はアップリンクセルであってよい。基地局は、基地局のレンジ内でユーザ機器と無線周波数上で動作するエアインタフェース上で通信する。
【０００３】
ＵＭＴＳ（Universal  Mobile  Telecommunications  System）は、第３世代のモバイル通信システムであり、当該システムは、第２世代（２Ｇ）のＧＳＭ（Global  System  for  Mobile  Communications）から進化した。ＵＴＲＡＮ（UMTS  terrestrial  radio  access  network）は、本質的に、ユーザ機器についてＷＣＤＭＡ（wideband  code  division  multiple  access）及び／又はＨＳＰＡ（High  Speed  Packet  Access）を用いるＲＡＮである。３ＧＰＰ（3rd  Generation  Partnership  Project）として知られるフォーラムにおいて、通信サプライヤは、第３世代ネットワーク及び特にＵＴＲＡＮについて標準を提案し及び合意し、並びに、強化されたデータレート及び無線キャパシティを探求している。例えばＵＭＴＳにおけるもののようなＲＡＮのいくつかのバージョンにおいて、複数の基地局が、例えば地上回線又はマイクロ波によって無線ネットワークコントローラ（ＲＮＣ）又は基地局コントローラ（ＢＳＣ）といったコントローラノードへ接続され得る。コントローラノードは、当該コントローラノードへ接続される複数の基地局の多様なアクティビティを監督し及び協調させる。ＲＮＣは、典型的には、１つ以上のコアネットワークへ接続される。
【０００４】
ＥＰＳ（Evolved  Packet  System）についての規格は、３ＧＰＰ（3rd  Generation  Partnership  Project）内で完了済みであり、来たるべき３ＧＰＰリリースにおいてさらに発展する。ＥＰＳは、ＬＴＥ無線アクセスとしても知られるＥ−ＵＴＲＡＮ（Evolved  Universal  Terrestrial  Radio  Access  Network）と、ＳＡＥ（System  Architecture  Evolution）コアネットワークとしても知られるＥＰＣ（Evolved  Packet  Core）とを含む。Ｅ−ＵＴＲＡＮ／ＬＴＥは、無線基地局ノードがＥＰＣネットワークへ直接的に接続されるという、３ＧＰＰ無線アクセス技術の一変種であり、即ち、ＵＭＴＳにおいてＲＮＣ（Radio  Network  Controller）で実現されたような無線ネットワークコントローラの概念は存在しない。概して、ＥＰＳでは、ＲＮＣの機能は、ｅＮＢとコアネットワークとの間で分散される。そのため、ＥＰＳのＲＡＮは、本質的には、ＲＮＣにより制御されることの無い、複数の無線基地局を含む“フラットな”アーキテクチャを有する。
【０００５】
図１ａにおいて、ｅＮＢ及び発展型パケットコアノードを含む、ＬＴＥシステムの簡略化されたアーキテクチャがブロック図として示されている。図１ａにおいて、発展型パケットコアノードは、モビリティ管理エンティティ（ＭＭＥ）として示されている。ｅＮＢは、Ｓ１接続を用いてＭＭＥと接続される。Ｓ１は、ｅＮＢとＭＭＥとの間のインタフェースである。ＭＭＥは、制御ノードとして使用される。例えば、ＭＭＥは、再送を含む、アイドルモードＵＥのトラッキング及びページング手続を担当する。ＭＭＥは、さらに、ベアラのアクティブ化／非アクティブ化プロセスに携わり、初期のアタッチの際に及び発展型パケットコアノードの再配置を含むＬＴＥ内ハンドオーバの時に、ＵＥについてサービングゲートウェイ（ＳＧＷ）を選択することも担当する。ＭＭＥは、さらに、ＵＥ又はＵＥのユーザの認証を担当する。
【０００６】
現代のセルラーネットワークにおいて、絶えず増大するデータレートをワイヤレスデバイスに提供するというニーズは、無線レベルにおいて様々な無線アクセス技術（ＲＡＴ）を統合することによって充足され得る。具体的には、３ＧＰＰは、リリース１３において、具体的には事業者により配備されるＷＬＡＮのために、ＬＴＥ及びワイヤレスローカルエリアネットワーク（ＷＬＡＮ）を統合する、より良好な手法を研究している。ＬＴＥ及びＷＬＡＮを統合することで、個々のネットワークにより提供されるスループットは、ワイヤレスデバイスによってアグリゲートされ得る。この目的のために、３ＧＰＰは、とりわけＬＴＥ−ＷＬＡＮアグリゲーションを標準化することを狙うリリース１３作業項目を近日承認した。
【０００７】
“Ｗｉ−Ｆｉ”として知られるＷＬＡＮ技術は、８０２．１１シリーズの規格群において、即ち、“IEEE  Standard  for  Information  technology−Telecommunications  and  information  exchange  between  systems.    Local  and  metropolitan  area  networks−Specific  requirements.    Part  11:  Wireless  LAN  Medium  Access  Control  (MAC)  and  Physical  Layer  (PHY)  Specifications”としてＩＥＥＥにより標準化されている。
【０００８】
ＩＥＥＥ８０２．１１規格は、Ｗｉ−Ｆｉアクセスポイント（ＡＰ）、及び、ＩＥＥＥ８０２．１１において“ステーション”又は“ＳＴＡ”として包括的に知られるワイヤレス端末の機能及び動作を統制する。ＩＥＥＥ８０２．１１は、物理レイヤプロトコル、媒体アクセス制御（ＭＡＣ）レイヤプロトコル、並びに、アクセスポイントと携帯端末との間の適合性及び相互運用性を確保するために必要とされる他の側面を含む。
【０００９】
ＷＬＡＮは、１つ以上のＡＰのネットワークであり、例えば、ＳＳＩＤ（Service  Set  Identifiers）、ＨＥＳＳＩＤ（Homogeneous  Extended  Service  Set  Identifiers）、又はＢＳＳＩＤ（Basic  Service  Set  Identifiers）を用いてアドレス指定され得る。
【００１０】
Ｗｉ−Ｆｉは、固定ブロードバンドアクセスへのワイヤレス拡張として、例えば、家庭内環境において、並びに、空港、鉄道駅、及びレストランなどのいわゆるホットスポットにおいて、一般に使用されている。
【００１１】
Ｗｉ−Ｆｉは、近日、固定ブロードバンドアクセスへの拡張としてその従来の役割を超えた目的のためにＷｉ−Ｆｉを使用する可能性について研究しているセルラーネットワーク事業者からの、増大する関心の的となっている。これらの事業者は、ワイヤレス帯域幅の、絶えず増大している市場の需要に応えており、セルラーＲＡＴの拡張又は代替としてＷｉ−Ｆｉ技術を使用することに関心を有している。例えば、ＬＴＥ、ＵＭＴＳ／ＷＣＤＭＡ（Wideband  Code−Division  Multiple  Access）、及びＧＳＭとして知られる無線アクセス技術を含む、３ＧＰＰによって標準化された技術のいずれかを用いてモバイルユーザに目下サービスしているネットワーク事業者は、Ｗｉ−Ｆｉを、ユーザ自身の通常のセルラーネットワークにおいて当該ユーザのために良好な追加的サポートを提供し得るワイヤレス技術であると認識している。
【００１２】
現在のところ、複数の標準化団体において、事業者制御型のＷｉ−Ｆｉの分野における極めて精力的なアクティビティが存在する。３ＧＰＰでは、Ｗｉ−Ｆｉ  ＡＰを、３ＧＰＰにより規格化されたコアネットワークへ接続するアクティビティが追求されており、Ｗｉ−Ｆｉアライアンス（ＷＦＡ）では、Ｗｉ−Ｆｉプロダクトの認可に関連するアクティビティが進められており、その取組みもまた、ある程度、Ｗｉ−Ｆｉをセルラー事業者らが自身のネットワークにおいて高帯域幅の提供をサポートするための現実的なワイヤレス技術にするニーズから推進されている。Ｗｉ−Ｆｉオフロードという用語は、一般に使用されており、セルラーネットワーク事業者が、例えば、ピークトラフィック時間において、及び、セルラーネットワークが何らかの理由でオフロードされる必要がある状況において、例えば、要求されるサービス品質を提供するため、帯域幅を最大化するため、又は、単にカバレッジのために、トラフィックを自身のセルラーネットワークからＷｉ−Ｆｉへオフロードする手段を求めていることを指す。
【００１３】
互いに別々に標準化されている２つの技術の混成を提供するネットワーク事業者にとって、共存のためのインテリジェントな仕組みを提供することは難題である。
【００１４】
図１ｂは、ブロック図であり、ＬＴＥネットワーク及びＷＬＡＮネットワークを示している。これらのネットワークは共設されてもよく、これはＷＬＡＮ  ＡＰ及びｅＮＢが同じノード内に実装されることを意味し、又は、非共設であってもよく、ｅＮＢとＷＬＡＮ  ＡＰとの間にＸｗインタフェースが存在することを意味する。
【００１５】
ＬＴＥ−ＷＬＡＮアグリゲーション
ＬＴＥ−ＷＬＡＮアグリゲーションは、ＵＥなどのワイヤレス通信デバイスがｅＮＢ及びワイヤレス終端（ＷＴ）の双方へのワイヤレス通信リンクを使用して、無線信号を受信し及び送信し得るという特徴である。ＷＴは、ＷＬＡＮにおいて動作する論理的なノードである。ＷＴは、ＡＰ、アクセスコントローラ（ＡＣ）、又は別の物理ノード内に実装されてよい。ワイヤレス通信デバイスは、ＷＬＡＮ側において構成される別個のデータベアラを有してもよい。データベアラは、ＬＴＥ接続とＷＬＡＮ接続との間で分割されてもよい。ベアラがＬＴＥ接続とＷＬＡＮ接続との間で分割される場合、即ち、ＬＴＥ及びＷＬＡＮのアグリゲーションの、分割（split）ベアラアーキテクチャのオプションにおいて、ダウンリンクデータは、ｅＮＢ内のＰＤＣＰ（Packet  Data  Convergence  Protocol）レイヤ上で分割される。ｅＮＢは、ｅＮＢ無線リンク制御（ＲＬＣ）プロトコルを介してワイヤレスデバイスへ直接的に、又は、バックホールチャネルを介してセカンダリｅＮＢ（ＳｅＮＢ）へ、又は、ＷＬＡＮ媒体アクセス制御（ＭＡＣ）プロトコルを介してワイヤレスデバイスへ、ＰＤＣＰパケットデータユニット（ＰＤＵ）を動的にルーティングし得る。
【００１６】
上記分離されたベアラアーキテクチャにおいて、ベアラの下位レイヤは、ＬＴＥ又はＷＬＡＮへスイッチングされる。ベアラの下位レイヤとは、ＰＤＣＰレイヤよりも下のレイヤを意味する。このことは、ベアラの全てのＰＤＣＰパケットが、ＬＴＥ側又はＷＬＡＮ側のいずれかを介してルーティングされることを意味する。ｅＮＢの視点からは、デュアルコネクティビティにおいて２Ｃと呼ばれている分離されたベアラアーキテクチャは、静的なルーティング決定として見られてもよい。
【００１７】
図１ｃは、ブロック図であり、ＬＴＥ−ＷＬＡＮアグリゲーションについてのプロトコルアーキテクチャオプション３Ｃを示している。このプロトコルアーキテクチャオプション３Ｃは、ＷＴがＬＴＥにおけるセカンダリｅＮＢ（ＳｅＮＢ）の役割を果たす、ＬＴＥにおけるＲｅｌ−１２デュアルコネクティビティの分割ベアラアーキテクチャに類似している。ＰＤＣＰパケットを、ＷＬＡＮによってトランスポートされるように適合させるために、アダプテーションレイヤが必要とされ得る。しかしながら、アダプテーションレイヤは、実装に依存してｅＮＢ若しくはＷＬＡＮにあってもよく、又は、その一部が各ノード内にあってもよい。
【００１８】
アーキテクチャオプション２Ｃのケースでは、以下のいずれかである：即ち、ユーザプレーンベアラのＰＤＣＰプロトコルよりも下のｅＮＢ  ＲＬＣプロトコルが存在しないことがあり得る。このケースでは、全てのパケットがＷＬＡＮを介してワイヤレス通信デバイスへルーティングされる；あるいは、ＷＬＡＮが存在しないことがあり得る。即ち、全てのパケットがＬＴＥを介してワイヤレス通信デバイスへルーティングされ得る。
【００１９】
ｅＮＢの視点からは、ＬＴＥネットワークとＷＬＡＮネットワークとの間のネットワークインタフェース、例えば、図１ｃに示されるようなＸｗインタフェースは、常にＷＴへ向かう。しかしながら、ワイヤレスデバイスは、高々１つのＡＰへ接続され、１つのＷＴの背後に複数のＡＰが存在し得る。
【００２０】
さらに、レガシーＷＬＡＮにおいて、ワイヤレス通信デバイスはモビリティ決定を制御し、一方、ＬＴＥではｅＮＢがモビリティを制御する。ＷＬＡＮモビリティは、ワイヤレス通信デバイスがどのＷＬＡＮへ接続され及び／又はどのＷＬＡＮによりサービスされるか、を変更する手続を含み得る。ＬＴＥ−ＷＬＡＮアグリゲーションのいくつかのシナリオにおいて、ｅＮＢは、ワイヤレス通信デバイスに対し、例えば、ＳＳＩＤ、ＨＥＳＳＩＤ、又はＢＳＳＩＤにより識別され、且つ、１つ以上のＷＬＡＮに属する、ＡＰの１つ以上のグループを提供する。これらのＡＰ間において、ＷＬＡＮモビリティの仕組みが適用され、ＬＴＥ−ＷＬＡＮアグリゲーションがサポートされる。即ち、ワイヤレス通信デバイスは、ｅＮＢにとって透過的なこれらのＡＰ間においてモビリティを実行し得る。言い換えると、ワイヤレス通信デバイスは、モビリティのために許容されるＡＰの１つ以上のグループ内又はＷＬＡＮのグループ内の複数のＡＰのうちのいずれかへ接続することを可能とされる。一方、ｅＮＢは、ワイヤレス通信デバイスがどのＡＰへ接続されているのかを必ずしも知得しない。これは、ワイヤレス通信デバイスがどのＡＰ及びどのＷＬＡＮへ接続されているのかがｅＮＢにとって“透過的”であることを意味する。
【００２１】
ｅＮＢによって提供されるＡＰの１つ以上のグループからＡＰの他のグループへのモビリティであって、それらＡＰの間にＷＬＡＮモビリティの仕組みが適用されるワイヤレス通信デバイスの当該モビリティは、例えば、ワイヤレス通信デバイスによって提供される測定報告に基づいてｅＮＢにより制御される。
【００２２】
既存のＲＡＴ間測定フレームワークにおいては、ＷＬＡＮ／３ＧＰＰ無線インタワーキングのために、ＷＬＡＮ関連の以下のメトリックが使用されることになる：
−ＷＬＡＮビーコン受信信号強度インジケータ（ＲＳＳＩ）
−（基本サービスセット）ＢＳＳ負荷におけるチャネル利用率
−ＵＬバックホールレート
−ＤＬバックホールレート
【００２３】
ここで、Ｒｅｌ−１３のＷＬＡＮ測定フレームワークもまた、これらのメトリックを使用し得ることが想定される。現行のＬＴＥ測定フレームワークによれば、ワイヤレス通信デバイスは、プライマリセル（ＰＣｅｌｌ）を含まない、８個の最良のセルを報告する。最良とは、ワイヤレス通信デバイスがどのメトリックを測定するように構成されるかに依存して、信号強度又は信号品質の観点におけるものである。さらに想定され得ることとして、ワイヤレス通信デバイスは、限られた数のＷＬＡＮを報告し、及び、少なくともＷＬＡＮビーコンのＲＳＳＩを報告内に含める。ｅＮＢは、無線リソース制御（ＲＲＣ）再構成メッセージを送信することにより、ワイヤレス通信デバイスが測定をいかに行うものとされるかを構成する。ＲＲＣ再構成メッセージは、測定構成ＩＥを含み得る。
【００２４】
従来技術の仕組みによると、ワイヤレス通信デバイスは、測定イベントトリガ条件をいずれかのＷＬＡＮが充足しているならば測定報告をトリガすることになり、これが不必要な及び過剰なシグナリングを引き起こしかねない。別の問題は、測定報告に対する制約に起因して、ワイヤレス通信デバイスはｅＮＢにとって有意義であり得るいくつかの測定値を報告しないかもしれない。
【発明の概要】
【発明が解決しようとする課題】
【００２５】
ＵＥなどのワイヤレス通信デバイスから、ｅＮＢといったネットワークノードへ送信される測定報告は、一定数のＷＬＡＮについてのみ、ＲＳＳＩ及びあり得る他のメトリックといった測定結果を含む。これは、ワイヤレス通信デバイスが、当該ワイヤレス通信デバイスが報告し得たはずの例えばＷＬＡＮ  ＡＰを含むいくつかのＷＬＡＮを測定報告に含めないことを意味する。例えば、ワイヤレス通信デバイスは、当初、数十個のＷＬＡＮ  ＡＰを含み得るＳＳＩＤからＷＬＡＮ  ＡＰを測定するように構成される。ワイヤレス通信デバイスが、特定の数のＷＬＡＮ（例えば、ＲＳＳＩの観点において１０個の最良のＷＬＡＮ）を報告に含める場合、ワイヤレス通信デバイスが、同じＷＬＡＮ集合、例えば同じＷＬＡＮ  ＡＰ集合を常に報告内に含めるようなことがあり得る。このケースでは、ネットワークノード、例えばｅＮＢは、当該ネットワークノードが発見する必要があり得るいかなる他のＡＰの報告をも得られない。
【００２６】
またあり得るケースとして、異なるＷＴに属するＷＬＡＮ間におけるＲＳＳＩの差異がそれほど大きな差異ではないものの、ネットワークノードは、インタフェースリソースに関連する他の理由であって、特定のワイヤレス通信デバイスをあるセットから別のセットへ移動させる当該他の理由を有し得る。その理由のために、それらのＷＬＡＮのビーコン信号強度を判定する必要があるかもしれない。
【００２７】
ここでの実施形態のある目的は、１つ以上のワイヤレス通信ネットワークの性能を改善することである。ここでの実施形態のある目的は、異なる複数の無線アクセス技術を伴うワイヤレス通信ネットワークの統合を改善することであり得る。
【課題を解決するための手段】
【００２８】
ここでの実施形態において、ＵＥなどのワイヤレス通信デバイスは、モビリティセットに基づいて、ブラックリスト化されるＷＬＡＮのセットを判定する。モビリティセットは、ｅＮＢといったネットワークノードがワイヤレス通信デバイスに指し示すＷＬＡＮであって、当該ワイヤレス通信デバイスがそれらの間においてモビリティを実行し得る複数の当該ＷＬＡＮを含む、ＷＬＡＮのセットである。ブラックリスト化されるそれらＷＬＡＮは、次いで、測定報告をトリガすることから除外され、及び／又は、測定報告から除外される。ここでの実施形態において、ワイヤレス通信デバイスは、モビリティセット内のＷＬＡＮを、ブラックリスト化すべきものとして考慮することになる。
【００２９】
ここでの実施形態の第１の態様によると、この目的は、ワイヤレス通信デバイスにより実行される、測定報告のための方法によって達成される。
【００３０】
測定報告は、第１のワイヤレス通信ネットワークに関連付けられる測定値を第２のワイヤレス通信ネットワークにおいて動作するネットワークノードへ報告すること、を含む。第１のワイヤレス通信ネットワークは第１のＲＡＴに従って動作し、第２のワイヤレス通信ネットワークは第２のＲＡＴに従って動作する。
【００３１】
ワイヤレス通信デバイスは、ネットワークノードから、第１のワイヤレス通信ネットワークにおいて動作する１つ以上の無線アクセスネットワークノードの識別子を取得する。取得される識別子は、第１のワイヤレス通信ネットワークにおけるワイヤレス通信デバイスのモビリティを、識別子により識別される１つ以上の無線アクセスネットワークノードへ制限する。
【００３２】
ワイヤレス通信デバイスは、第１のワイヤレス通信ネットワークにおけるワイヤレス通信デバイスのモビリティが制限される識別される無線アクセスネットワークノードのうちの少なくとも１つを、ネットワークノードへの測定報告から除外する。
【００３３】
ここでの実施形態の第２の態様によると、この目的は、測定報告のために構成されるワイヤレス通信デバイスによって達成される。
【００３４】
測定報告は、第１のワイヤレス通信ネットワークに関連付けられる測定値を第２のワイヤレス通信ネットワークにおいて動作するネットワークノードへ報告すること、を含む。第１のワイヤレス通信ネットワークは第１のＲＡＴに従って動作し、第２のワイヤレス通信ネットワークは第２のＲＡＴに従って動作する。
【００３５】
ワイヤレス通信デバイスは、ネットワークノードから、第１のワイヤレス通信ネットワークにおいて動作する１つ以上の無線アクセスネットワークノードの識別子を取得する、ように構成される。
【００３６】
取得される識別子は、第１のワイヤレス通信ネットワークにおけるワイヤレス通信デバイスのモビリティを、識別子により識別される１つ以上の無線アクセスネットワークノードへ制限する。
【００３７】
ワイヤレス通信デバイスは、第１のワイヤレス通信ネットワークにおけるワイヤレス通信デバイスのモビリティが制限される識別される無線アクセスネットワークノードのうちの少なくとも１つを、ネットワークノードへの測定報告から除外する、ようにさらに構成される。
【００３８】
ここでの実施形態の第３の態様によると、この目的は、プロセッサにおいて実行されると、上記の第１の態様による方法を実行するソフトウェア命令、を含むコンピュータプログラムプロダクトによって達成される。
【００３９】
ここでの実施形態の第４の態様によると、この目的は、測定報告のためのワイヤレス通信デバイスによって達成される。
【００４０】
測定報告は、第１のワイヤレス通信ネットワークに関連付けられる測定値を第２のワイヤレス通信ネットワークにおいて動作するネットワークノードへ報告すること、を含む。第１のワイヤレス通信ネットワークは第１のＲＡＴに従って動作し、第２のワイヤレス通信ネットワークは第２のＲＡＴに従って動作する。
【００４１】
ワイヤレス通信デバイスは、プロセッサ及びメモリを含み、上記メモリは、上記プロセッサにより実行可能な命令を収容する。
【００４２】
上記ワイヤレス通信デバイスは、ネットワークノードから、第１のワイヤレス通信ネットワークにおいて動作する１つ以上の無線アクセスネットワークノードの識別子を取得する、ように動作可能である。取得される識別子は、第１のワイヤレス通信ネットワークにおけるワイヤレス通信デバイスのモビリティを、識別子により識別される１つ以上の無線アクセスネットワークノードへ制限する。
【００４３】
上記ワイヤレス通信デバイスは、第１のワイヤレス通信ネットワークにおけるワイヤレス通信デバイスのモビリティが制限される識別される無線アクセスネットワークノードのうちの少なくとも１つを、ネットワークノードへの測定報告から除外する、ようにさらに動作可能である。
【００４４】
ここでの実施形態の第５の態様によると、この目的は、測定報告のためのワイヤレス通信デバイスによって達成される。
【００４５】
測定報告は、第１のワイヤレス通信ネットワークに関連付けられる測定値を第２のワイヤレス通信ネットワークにおいて動作するネットワークノードへ報告すること、を含む。第１のワイヤレス通信ネットワークは第１のＲＡＴに従って動作し、第２のワイヤレス通信ネットワークは第２のＲＡＴに従って動作する。
【００４６】
ワイヤレス通信デバイスは、ネットワークノードから、第１のワイヤレス通信ネットワークにおいて動作する１つ以上の無線アクセスネットワークノードの識別子を取得する、ように構成される取得モジュールを含む。
【００４７】
取得される識別子は、第１のワイヤレス通信ネットワークにおけるワイヤレス通信デバイスのモビリティを、識別子により識別される１つ以上の無線アクセスネットワークノードへ制限する。
【００４８】
ワイヤレス通信デバイスは、第１のワイヤレス通信ネットワークにおけるワイヤレス通信デバイスのモビリティが制限される識別される無線アクセスネットワークノードのうちの少なくとも１つを、ネットワークノードへの測定報告から除外する、ように構成される判定モジュールをさらに含む。
【発明の効果】
【００４９】
ワイヤレス通信デバイスが、測定報告から、第１のワイヤレス通信ネットワークにおけるワイヤレス通信デバイスのモビリティが制限される識別される無線アクセスネットワークノードのうちの少なくとも１つを除外することから、不必要な及び過剰なシグナリングが回避される。
【００５０】
ここでの実施形態の利点は、不必要な及び過剰なシグナリングが回避されることである。
【００５１】
他の利点は、ワイヤレス通信デバイスが、除外される無線アクセスネットワークノードの代わりに、他の無線アクセスネットワークノードを測定報告に含めることが可能にされることである。
【図面の簡単な説明】
【００５２】
以下の図を含む添付図面を参照しながら、ここでの実施形態の例について、より詳細に説明する。
【００５３】
【図１ａ】従来技術に係る、簡略化されたＬＴＥアーキテクチャを示す概略ブロック図である。
【図１ｂ】ＬＴＥネットワーク及びＷｉ−Ｆｉネットワークを示す概略ブロック図である。
【図１ｃ】ＬＴＥ−ＷＬＡＮアグリゲーションについてのプロトコルアーキテクチャオプション３Ｃを示す概略ブロック図である。
【図２】ここでのワイヤレス通信ネットワークの実施形態が実装され得る、第１のワイヤレス通信ネットワーク及び第２のワイヤレス通信ネットワークを示す概略ブロック図である。
【図３】内部でワイヤレス通信デバイスが移動している第１のワイヤレス通信ネットワークを示す概略ブロック図である。
【図４ａ】測定報告のための方法の実施形態を示す、シグナリング図及びフローチャートの組み合わせである。
【図４ｂ】測定報告のための方法の実施形態を示す、さらなるシグナリング図及びフローチャートの組み合わせである。
【図５】ワイヤレス通信デバイスにより実行される、測定報告のための方法の実施形態を描くフローチャートである。
【図６】ネットワークノードにより実行される方法の実施形態を描くフローチャートである。
【図７】ワイヤレス通信デバイスの実施形態を示す概略ブロック図である。
【図８】ネットワークノードの実施形態を示す概略ブロック図である。
【発明を実施するための形態】
【００５４】
ここでの実施形態は、１つ以上のワイヤレス通信ネットワークにおいて実装されてよく、図２は、そのうち、無線通信ネットワーク、通信ネットワーク、又は類似のものとしても知られる第１のワイヤレス通信ネットワーク２０１の一部を描いている。第１のワイヤレス通信ネットワーク２０１は、１つ以上のＲＡＮ及び１つ以上のＣＮを含み得る。
【００５５】
第１のワイヤレス通信ネットワーク２０１は、わずかなあり得る実装例に触れるだけでも、Ｗｉ−Ｆｉ、ＬＴＥ（Long  Term  Evolution）、ＬＴＥアドバンスト、ＷＣＤＭＡ（Wideband  Code  Division  Multiple  Access）、ＧＳＭ／ＥＤＧＥ（Global  System  for  Mobile  communications/Enhanced  Data  rate  for  GSM  Evolution）、ＷｉＭａｘ（Worldwide  Interoperability  for  Microwave  Access）、又はＵＭＢ（Ultra  Mobile  Broadband）といった、いくつかの異なる技術を使用してよい。
【００５６】
より具体的には、第１のワイヤレス通信ネットワーク２０１は、第１のＲＡＴに従って動作し得る。
【００５７】
第１のワイヤレス通信ネットワーク２０１は、ここでは、Ｗｉ−ＦｉネットワークといったＷＬＡＮとして例示されている。
【００５８】
図２は、無線通信ネットワーク、通信ネットワーク、又は類似のものとしても知られる第２のワイヤレス通信ネットワーク２０２の一部をさらに描いている。第２のワイヤレス通信ネットワーク２０２は、１つ以上のＲＡＮ及び１つ以上のＣＮを含み得る。第２のワイヤレス通信ネットワーク２０２は、わずかなあり得る実装例に触れるだけでも、ＬＴＥ（Long  Term  Evolution）、ＬＴＥアドバンスト、ＷＣＤＭＡ（Wideband  Code  Division  Multiple  Access）、ＧＳＭ／ＥＤＧＥ（Global  System  for  Mobile  communications/Enhanced  Data  rate  for  GSM  Evolution）、Ｗｉ−Ｆｉ、ＷｉＭａｘ（Worldwide  Interoperability  for  Microwave  Access）、又はＵＭＢ（Ultra  Mobile  Broadband）といった、いくつかの異なる技術を使用してよい。
【００５９】
より具体的には、第２のワイヤレス通信ネットワーク２０２は、上述の第１のＲＡＴとは異なる第２のＲＡＴに従って動作し得る。
【００６０】
第２のワイヤレス通信ネットワーク２０２は、ここでは、ＬＴＥネットワークとして例示されている。
【００６１】
第１のワイヤレス通信ネットワーク２０１において、ワイヤレス通信デバイスと通信することの可能な無線アクセスネットワークノードが動作する。第１のワイヤレス通信ネットワーク２０１において、例えば、ワイヤレス通信デバイスとの無線通信が可能な１つ以上の第１の無線アクセスネットワークノード２１１ａ、２１１ｂが動作する。１つ以上の第１の無線アクセスネットワークノード２１１ａ、２１１ｂは、第１のワイヤレス通信ネットワーク２０１において動作する、ように構成される。１つ以上の第１の無線アクセスネットワークノード２１１ａ、２１１ｂは、無線基地局、及び、例えば、ｅＮＢ、ｅＮｏｄｅＢ、基地送受信局、アクセスポイント基地局、基地局ルータ、又は、ワイヤレス通信デバイスとの無線通信が可能な、いかなる他のネットワークユニットとして言及されてもよい。
【００６２】
さらに、第１のワイヤレス通信ネットワーク２０１において動作する、さらなる無線アクセスネットワークノードが存在してもよい。例えば、図２に示されるように、１つ以上の第２の無線アクセスネットワークノード２１２ａ及び２１２ｂと、１つ以上の第３の無線アクセスネットワークノード２１３ａ及び２１３ｂと、が存在してもよい。
【００６３】
１つ以上の無線アクセスネットワークノード２１１ａ、２１１ｂ、２１２ａ、２１２ｂ、２１３ａ、２１３ｂは、ここでの実施形態において、ＷＬＡＮ  ＡＰとして例示されている。
【００６４】
上で言及したように、ＷＬＡＮは、１つ以上のＡＰのネットワークであり、サービスセット識別子（ＳＳＩＤ）、同種拡張サービスセット識別子（ＨＥＳＳＩＤ）、又は基本サービスセット識別子（ＢＳＳＩＤ）を用いてアドレス指定され得る。
【００６５】
ここでの実施形態において、１つ以上の第１の無線アクセスネットワークノード２１１ａ、２１１ｂは、第１の無線アクセスネットワーク２２１として言及され得る。この第１の無線アクセスネットワーク２２１は、例えば、第１のＷＬＡＮであり得る。さらに、１つ以上の第２の無線アクセスネットワークノード２１２ａ及び２１２ｂは、第２の無線アクセスネットワーク２２２として言及され得る。またさらに、１つ以上の第３の無線アクセスネットワークノード２１３ａ及び２１３ｂは、第３の無線アクセスネットワーク２２２としても言及され得る。第２の無線アクセスネットワーク２２２及び第３の無線アクセスネットワーク２２３もまた、ＷＬＡＮであってよい。
【００６６】
第２のワイヤレス通信ネットワーク２０２において、ワイヤレス通信デバイスと通信することの可能なネットワークノードが動作する。第２のワイヤレス通信ネットワーク２０２において、例えば、ワイヤレス通信デバイスと通信することの可能なネットワークノード２４０が動作する。ネットワークノード２４０は、第２のワイヤレス通信ネットワーク２０２において動作する、ように構成される。いくつかの実施形態において、ネットワークノード２４０は、無線通信が可能なネットワークノードであり、即ち、基地局といった無線ネットワークノード又は無線アクセスネットワークノードである。ネットワークノード２４０は、無線基地局、及び、例えば、ｅＮＢ、ｅＮｏｄｅＢ、基地送受信局、アクセスポイント基地局、基地局ルータ、又は、ワイヤレス通信デバイスと通信することの可能な、いかなる他のネットワークユニットとして言及されてもよい。
【００６７】
いくつかの他の実施形態において、ネットワークノード２４０は、無線ネットワークノードを介してワイヤレス通信デバイスと通信するネットワークノードである。このケースにおいて、ネットワークノード２４０は、例えば、ＵＭＴＳネットワークにおける無線ネットワークコントローラ（ＲＮＣ）であってよい。図２にはＲＮＣが示されていない。
【００６８】
移動局、ワイヤレスデバイス、ユーザ機器、及び／又は、ワイヤレス端末としても知られるワイヤレス通信デバイス２５０は、第１のワイヤレス通信ネットワーク２０１と通信可能である。さらに、ワイヤレス通信デバイス２５０は、第２のワイヤレス通信ネットワーク２０２とも通信可能である。例えば、ワイヤレス通信デバイス２５０は、制御信号及び／又はユーザプレーンデータを、ＬＴＥを介して第２のワイヤレス通信ネットワーク２０２へ直接的に通信可能である。また、ワイヤレス通信デバイス２５０は、制御信号及び／又はアップリンク／ダウンリンクユーザプレーンデータを、ＷＬＡＮなどの第１のワイヤレス通信ネットワーク２０１を介して、ＬＴＥネットワークなどの第２のワイヤレス通信ネットワーク２０２へ通信してもよい。第１のワイヤレス通信ネットワーク２０１は、ユーザプレーンデータを、Ｘｗインタフェースといったインタフェースを介して第２のワイヤレス通信ネットワーク２０２へリレーしてもよい。当該インタフェースは、図２では省略されている。
【００６９】
当業者によって理解されるべきこととして、“ワイヤレス通信デバイス”は、任意のワイヤレス端末、ユーザ機器、マシンタイプ通信（ＭＴＣ）デバイス、デバイスツーデバイス（Ｄ２Ｄ）端末、又はノードを意味する非限定的な用語であり、それらは、例えば、ＰＤＡ（Personal  Digital  Assistant）、ラップトップ、モバイル、センサ、リレー、モバイルタブレット、又は、それぞれのセル内で通信するスモール基地局でさえあってよい。当然ながら、ワイヤレス通信ネットワークと通信する、１つよりも多くのワイヤレス通信デバイスが存在してもよい。
【００７０】
上で言及したように、３ＧＰＰは、Ｒｅｌ−１２におけるＬＴＥデュアルコネクティビティに類似したプロトコルアーキテクチャに基づく、とりわけＬＴＥ−ＷＬＡＮアグリゲーションを標準化することを狙うリリース１３作業項目を近日承認した。
【００７１】
３ＧＰＰにおいて現在のところ開発中の仕組みによれば、ワイヤレス通信デバイス２５０には、ネットワークノード２４０により、モビリティセットとして言及され得るＷＬＡＮ識別子のセットが提供され得る。そのシナリオにおいて、ワイヤレス通信デバイス２５０は、これらの識別子に適合するＷＬＡＮ  ＡＰ間を自由に移動することを可能とされる。即ち、ワイヤレス通信デバイス２５０は、ネットワークノード２４０にとって透過的に、モビリティセット内のいずれのＡＰへ接続することも可能とされ、即ち、そのようにするための許可についてネットワークノード２４０からの明示的な標識を希望し又は必要とすることは無い。言い換えると、ネットワークノード２４０は、モビリティセットの範囲内ではワイヤレス通信デバイス２５０のモビリティを制御しない。その代わりに、モビリティは、例えば、ＵＥ実装に固有の、及び／又は、ＷＬＡＮにより制御される、モビリティ決定の仕組みに基づき得る。ワイヤレス通信デバイス２５０は、提供される識別子に適合しない他のＷＬＡＮへ移動すること、又は言い換えると接続すること、を許可されない。
【００７２】
“ＷＬＡＮへ接続される”という表現は、以下の手続のうちの１つ又は多くを含み得る。
・８０２．１１認証、即ちＷＬＡＮ  ＡＰへの認証が完了済みであるか又は進行中である。
・８０２．１ｘ  ＥＡＰ−ＳＩＭ認証、即ち、ＡＡＡサーバへの認証が完了済みであるか又は進行中である。
・端末とＷＬＡＮネットワークとの間の４ウェイハンドシェイクが完了済みである。
・ＷＬＡＮ内の端末に、インターネットプロトコル（ＩＰ）アドレスが割り当て済みである。
・ＷＬＡＮネットワークを通じて、パケットデータネットワーク（ＰＤＮ）接続、即ち、端末とＰＤＮゲートウェイとの間の接続が確立済みである。
・ＷＬＡＮネットワークを通じてデータトラフィックが開始されている。
【００７３】
ここでの実施形態によれば、ｅＮＢといったネットワークノード２４０は、ＵＥなどのワイヤレス通信デバイス２５０に対し、例えば、ＷＬＡＮに含まれるか又はＷＬＡＮを構成するどの無線アクセスネットワークノードを、当該ワイヤレス通信デバイスが測定報告の機能において、即ち測定値を報告する際に、除外するものとされるのかを指し示し得る。
【００７４】
これにより、ネットワークノードは、ワイヤレス通信デバイスが、どのＷＬＡＮ、例えばどのＷＬＡＮ  ＡＰを報告するものとされるのかを選択することが可能になる。これにより、ＷＬＡＮ測定値がネットワークノードにとってより有用になる。
【００７５】
上記標識は、上で言及したモビリティセットであってもよい。
【００７６】
さらに、ここでのいくつかの実施形態は、測定報告の回数をも低減する。
【００７７】
いくつかの他の実施形態は、測定報告のサイズを低減する。
【００７８】
さらにいくつかの他の実施形態は、測定報告の回数及び測定報告のサイズの双方を低減する。
【００７９】
このことは、シグナリングオーバーヘッドの観点から有益であり、なぜなら、ワイヤレス通信デバイスは、測定報告においてブラックリスト化されたＷＬＡＮを含めなくてよく、よって、報告されるＷＬＡＮの数がより少なくなり、報告がより小さくなるからである。これは、例えば、ワイヤレス通信デバイスが、ブラックリスト化された複数のＷＬＡＮと、ブラックリスト化されていない１つのＷＬＡＮとを検出する状況において生じ得る。
【００８０】
ワイヤレス通信デバイスは、測定報告手続においてＷＬＡＮを除外し得るため、自身がこれらのＷＬＡＮについての測定を実行する必要がないという理由により、電力を節約してもよい。例えば、ＲＳＳＩ測定値、及び、負荷などのような他のメトリックの後続のクエリ／読み取りが除外されてもよく、それは、測定構成に何が含まれていたかに依存し、即ち、ワイヤレス通信デバイスが、測定中のＷＬＡＮ  ＡＰの測定値から何を見出すように求められたかに依存する。
【００８１】
さらに、いくつかの実施形態は、ワイヤレス通信デバイス２５０が除外するものとされるＷＬＡＮをネットワークノード２４０が指し示す、非常に効果的なシグナリング手法を提供する。
【００８２】
ここでのいくつかの実施形態は、ＬＴＥネットワークにおけるｅＮＢといった、第２のＲＡＴに従って動作するワイヤレスネットワークノードが、ワイヤレス通信デバイスに対し、１つ以上のＷＬＡＮにおけるＡＰのアイデンティティといった、第１のＲＡＴに従って動作する無線アクセスネットワークノードのアイデンティティのセットをいかに提供するかを説明する。ワイヤレス通信デバイスは、測定イベントを評価する際に、提供される識別子のうちの１つ以上に適合するノードを除外し、及び／又は、測定報告を編集する際に、提供される識別子のうちの１つ以上に適合するノードを除外する。それら識別子のセットがブラックリストとして言及されてよい。
【００８３】
ＬＴＥ  ｅＮＢがＷＬＡＮについてのブラックリストをワイヤレス通信デバイス２５０に提供していることが、一例として使用されるとしても、ここで説明される実施形態を、ＲＡＴの他の組み合わせに適用することが可能であり得る。このような組み合わせは、ＬＴＥ、ＵＭＴＳ、ＷＬＡＮ、ＷｉＭＡＸ、ＧＳＭなどの組み合わせであってよい。
【００８４】
ここでの実施形態は、ワイヤレス通信デバイス２５０及びネットワークノード２４０において実装される方法を提示する。以下において、ネットワークノードの例としてｅＮＢが使用されているが、ネットワークノードは、通例、ワイヤレス通信デバイス２５０にサービスする別のネットワークノードであってもよく、例えば、ＵＭＴＳについて、適用可能なネットワークノードはＲＮＣであってもよい。ワイヤレス通信デバイス２５０は、ＵＥを用いて例示されている。
【００８５】
図３は、ブロック図であり、無線アクセスネットワークのカバレッジエリアを示す。カバレッジエリアは、無線アクセスネットワークノードにより無線カバレッジが提供される地理的エリアである。第１の無線アクセスネットワーク２２１は、第１のカバレッジエリア３６１において無線カバレッジを提供する。第２の無線アクセスネットワーク２２２は、第２のカバレッジエリア３６２において無線カバレッジを提供する。第３の無線アクセスネットワーク２２３は、第３のカバレッジエリア３６３において無線カバレッジを提供する。
【００８６】
図３は、ここでの実施形態が実装され得るシナリオをさらに示している。このシナリオにおいて、ワイヤレス通信デバイス２５０は、最初に、第１のカバレッジエリア３６１内及び第２のカバレッジエリア３６２内の第１のロケーション１に位置する。
【００８７】
ワイヤレス通信デバイス２５０はさらに、最初に、そのモビリティセットにおいて、第１の無線アクセスネットワーク２２１及び第２の無線アクセスネットワーク２２２と共に構成される。言い換えると、第１の無線アクセスネットワーク２２１及び第２の無線アクセスネットワーク２２２が最初にワイヤレス通信デバイス２５０のモビリティセット内に含まれる。
【００８８】
このことは、第１の無線アクセスネットワーク２２１と第２の無線アクセスネットワーク２２２との間におけるワイヤレス通信デバイス２５０のモビリティが、第１のワイヤレス通信ネットワーク２０１についてのモビリティの仕組みにより管轄されることを意味する。ワイヤレス通信デバイス２５０が第１の無線アクセスネットワーク２２１又は第２の無線アクセスネットワーク２２２のいずれかへ接続されている間、第１のワイヤレス通信ネットワーク２０１の使用がサポートされる。第１のワイヤレス通信ネットワーク２０１を使用することは、ワイヤレス通信デバイス２５０が、第１のワイヤレス通信ネットワーク２０１におけるワイヤレス通信リンクを使用して無線信号を受信し及び送信し得ることを意味する。
【００８９】
次いで、ワイヤレス通信デバイス２５０は、別の第２のロケーション２へ移動し、そこでは、ワイヤレス通信デバイス２５０は、第３の無線アクセスネットワーク２２３の第３のカバレッジエリア３６３内にもなる。
【００９０】
第３の無線アクセスネットワーク２２３をモビリティセットに追加することを可能にするために、ネットワークノード２４０は、次いで、ＷＬＡＮについての測定値を当該ワイヤレス通信デバイス２５０が報告することと、例えば、構成される閾値よりも無線アクセスネットワークが良好になる場合にトリガされる報告イベントと共にワイヤレス通信デバイス２５０を構成することと、を所望する。
【００９１】
しかしながら、ワイヤレス通信デバイス２５０が、このイベントを評価する際に第１の無線アクセスネットワーク２２１又は第２の無線アクセスネットワーク２２２を考慮しないこと、が望まれるかもしれない。その理由は、第１の無線アクセスネットワーク２２１及び第２の無線アクセスネットワーク２２２がモビリティセット内に既に存在しており、これらのＷＬＡＮが測定報告を不必要にトリガするためである。その代わりに、ワイヤレス通信デバイス２５０が、イベントを評価する際にモビリティセット内に存在しないＷＬＡＮのみ、即ち、この例においては第３の無線アクセスネットワーク２２３のみ、を考慮することが望まれ得る。
【００９２】
次に、図４ａ、図４ｂ、図５、及び図６に関し、並びに、引き続き図２を参照することにより、ここでの実施形態に係る、第１のワイヤレス通信システム２０１における、測定報告のためのアクションと、第１及び第２の無線アクセスネットワーク２２１、２２２における無線アクセスネットワークノードといった１つ以上の無線アクセスネットワークノードを測定報告から除外するためのアクションと、について説明する。
【００９３】
測定報告は、第１のワイヤレス通信ネットワーク２０１に関連付けられる測定値を第２のワイヤレス通信ネットワーク２０２において動作するネットワークノード２４０へ報告すること、を含む。言い換えると、測定報告は、第１のワイヤレス通信ネットワーク２０１において動作する無線アクセスネットワークノード２１１ａ、２１１ｂ、２１２ａ、２１２ｂ、２１３ａ、２１３ｂのうちの１つ以上に関連付けられる測定値を報告すること、を含む。
【００９４】
図４ａ及び図４ｂの各々は、ここでの実施形態に係る、１つ以上の無線アクセスネットワークノード２１１ａ、２１１ｂ、２１２ａ、２１２ｂを測定報告から除外するための方法を記述する、シグナリング図及びフローチャートの組み合わせである。
【００９５】
図５は、ここでの実施形態に係る、１つ以上の無線アクセスネットワークノード２１１ａ、２１１ｂ、２１２ａ、２１２ｂを測定報告から除外するための、ワイヤレス通信デバイス２５０により実行される方法を記述するフローチャートである。
【００９６】
図６は、ここでの実施形態に係る、１つ以上の無線アクセスネットワークノード２１１ａ、２１１ｂ、２１２ａ、２１２ｂを測定報告から除外するための、ネットワークノード２４０により実行される方法を記述するフローチャートである。
【００９７】
以下の実施形態が相互に排他的ではないことに留意すべきである。ある実施形態からのコンポーネントが、別の実施形態に存在することが暗黙のうちに想定されてよく、これらのコンポーネントが他の例示的な実施形態においていかに使用され得るかは、当業者にとって自明であろう。
【００９８】
上で言及したように、第１のワイヤレス通信ネットワーク２０１は第１のＲＡＴに従って動作し、第２のワイヤレス通信ネットワーク２０２は第２のＲＡＴに従って動作する。例えば、第１のワイヤレス通信ネットワーク２０１は、ＷＬＡＮであってよく、第２のワイヤレス通信ネットワーク２０２は、ＬＴＥネットワーク及びＵＭＴＳネットワークのいずれかといった３ＧＰＰネットワークであってよい。
【００９９】
アクション４００
前に言及したように、ワイヤレス通信デバイス２５０は、第１のワイヤレス通信ネットワーク２０１において動作する無線アクセスネットワークノード２１１ａ、２１１ｂ、２１２ａ、２１２ｂ、２１３ａ、２１３ｂからの信号を測定する、ようにネットワークノード２４０により構成され得る。ワイヤレス通信デバイス２５０は、これらの測定値のいくつか又は全てをネットワークノード２４０へ報告する、ようにネットワークノード２４０によりさらに構成され得る。ネットワークノード２４０及び／又は第２のワイヤレス通信ネットワークにおけるいくつかの他のネットワークノードは、例えば、ＷＬＡＮ／３ＧＰＰ無線インタワーキングのためにこれらの測定値を使用し得る。例えば、ネットワークノード２４０は、第１の無線アクセスネットワーク２２１、第２の無線アクセスネットワーク２２２、及び第３の無線アクセスネットワーク２２３といった、第１のワイヤレス通信ネットワーク２０１における無線アクセスネットワークノードの１つ以上のグループをまたいでワイヤレス通信デバイス２５０のモビリティを制御するために、これらの測定値を使用し得る。
【０１００】
ネットワークノード２４０は、１つ以上の無線アクセスネットワークノード２１１ａ、２１１ｂ、２１２ａ、２１２ｂ、２１３ａ、２１３ｂに関連付けられる識別子を送信することにより、無線アクセスネットワークノード２１１ａ、２１１ｂ、２１２ａ、２１２ｂ、２１３ａ、２１３ｂからの信号を測定するようにワイヤレス通信デバイス２５０を構成し得る。例えば、ネットワークノード２４０は、複数の無線アクセスネットワークノード２１１ａ、２１１ｂ、２１２ａ、２１２ｂ、２１３ａ、２１３ｂに関連付けられるＳＳＩＤを送信してもよい。これらＳＳＩＤは、例えば、数十個のＡＰに関連付けられてもよい。
【０１０１】
ワイヤレス通信デバイス２５０が、特定の数の無線アクセスネットワークノード、例えば、ＲＳＳＩの観点において１０個の最良の無線アクセスネットワークノードを測定報告に含める場合、ワイヤレス通信デバイス２５０がその報告内に同一の複数の無線アクセスネットワークノードを常に含めるようなことがあるかもしれない。
【０１０２】
図２を例にとると、ＲＳＳＩの観点における、４個の最良の無線アクセスネットワークノードは、第１及び第２の無線アクセスネットワークノード２１１ａ、２１１ｂ、２１２ａ、２１２ｂであり得る。さらに、この例において、報告は、４個の無線アクセスネットワークノード、例えば４個のＷＬＡＮに限定される。すると、ワイヤレス通信デバイス２５０が第１及び第２の無線アクセスネットワークノード２１１ａ、２１１ｂ、２１２ａ、２１２ｂを報告内に常に含めるようなことがあり得る。このケースにおいて、ネットワークノード２４０は、発見することを要し得る第３の無線アクセスネットワークノード２１３ａ及び２１３ｂといった何らかの他の無線アクセスネットワークノードの報告を得られず、これが問題であり得る。
【０１０３】
前に言及したように、既存のＬＴＥ−ＷＬＡＮ  ＲＡＴ間測定フレームワークについて、ＷＬＡＮ／３ＧＰＰ無線インタワーキングのために、ＷＬＡＮ関連の以下のメトリックが使用されることになる：
−ＷＬＡＮビーコン受信信号強度インジケータ（ＲＳＳＩ）
−（基本サービスセット）ＢＳＳ負荷におけるチャネル利用率
−ＵＬバックホールレート
−ＤＬバックホールレート
【０１０４】
ここで想定されることとして、Ｒｅｌ−１３のＷＬＡＮ測定フレームワークもまた、これらのメトリックを使用し得る。現行のＬＴＥ測定フレームワークによれば、ＵＥは、プライマリセル（ＰＣｅｌｌ）を含まない、８個の最良のセルを報告する。最良とは、ＵＥがどのメトリックを測定するように構成されるのかに依存して、信号強度又は信号品質の観点におけるものである。
【０１０５】
したがって、さらに想定され得ることとして、ワイヤレス通信デバイス２５０は、限られた数の無線アクセスネットワークノード２１１ａ、２１１ｂ、２１２ａ、２１２ｂを報告するであろう。さらに想定され得ることとして、ＬＴＥ−ＷＬＡＮにおける実施形態について、ワイヤレス通信デバイス２５０は、少なくともＷＬＡＮビーコンのＲＳＳＩを報告に含めるであろう。
【０１０６】
アクション４０１
第１の無線アクセスネットワーク２２１におけるワイヤレス通信デバイス２５０のモビリティを制限するために、ネットワークノード２４０は、第１のワイヤレス通信ネットワーク２０１において動作する無線アクセスネットワークノード２１１ａ、２１１ｂ、２１２ａ、２１２ｂの識別子４５０といった１つ以上の識別子を送信する。
【０１０７】
無線アクセスネットワークノード２１１ａ、２１１ｂ、２１２ａ、２１２ｂの１つ以上の識別子４５０は、各々が１つ以上の無線アクセスネットワークノード２１１ａ、２１１ｂ、２１２ａ、２１２ｂのうちの１つの識別子であり得る。
【０１０８】
上で言及したように、ワイヤレス通信デバイス２５０は、識別される１つ以上の無線アクセスネットワークノード２１１ａ、２１１ｂ、２１２ａ、２１２ｂ間においてモビリティを実行し得る。即ち、１つ以上の識別子により識別される１つ以上の無線アクセスネットワークノード２１１ａ、２１１ｂ、２１２ａ、２１２ｂとの行き来においてモビリティが許可される。
【０１０９】
このようにして、ワイヤレス通信デバイス２５０は、１つ以上の無線アクセスネットワークノード２１１ａ、２１１ｂ、２１２ａ、２１２ｂの１つ以上の識別子４５０を取得する。図３に関連して上で言及したように、ここでのシナリオにおいて、第１の無線アクセスネットワーク２２１及び第２の無線アクセスネットワーク２２２は、最初に、ワイヤレス通信デバイス２５０のモビリティセット内に含まれる。したがって、ここでの実施形態において、ワイヤレス通信デバイス２５０は、ネットワークノード２４０から、モビリティセット内の１つ以上の無線アクセスネットワークノード２１１ａ、２１１ｂ、２１２ａ、２１２ｂの識別子４５０を取得し得る。
【０１１０】
１つ以上の無線アクセスネットワークノード２１１ａ、２１１ｂ、２１２ａ、２１２ｂの、送信される１つ以上の識別子４５０は、当該送信される識別子４５０により識別される１つ以上の無線アクセスネットワークノード２１１ａ、２１１ｂ、２１２ａ、２１２ｂのうちの１つ以上がネットワークノード２４０への測定報告から除外されるべきであるという標識であり得る。
【０１１１】
よって、要するに、ワイヤレス通信デバイス２５０は、ネットワークノード２４０から、第１のワイヤレス通信ネットワーク２０１において動作する１つ以上の無線アクセスネットワークノード２１１ａ、２１１ｂ、２１２ａ、２１２ｂの識別子４５０を取得する。取得される識別子４５０は、第１のワイヤレス通信ネットワーク２０１におけるワイヤレス通信デバイス２５０のモビリティを、識別子４５０により識別される１つ以上の無線アクセスネットワークノード２１１ａ、２１１ｂ、２１２ａ、２１２ｂへ制限する。
【０１１２】
いくつかの実施形態において、１つ以上の無線アクセスネットワークノード２１１ａ、２１１ｂ、２１２ａ、２１２ｂの識別子４５０は、モビリティセット３７０内の１つ以上の無線アクセスネットワークノード２１１ａ、２１１ｂ、２１２ａ、２１２ｂの識別子である。モビリティは、モビリティセット３７０内の１つ以上の無線アクセスネットワークノード２１１ａ、２１１ｂ、２１２ａ、２１２ｂとの行き来において許可される。
【０１１３】
１つ以上の無線アクセスネットワークノード２１１ａ、２１１ｂ、２１２ａ、２１２ｂの識別子４５０は、
−ＳＳＩＤ（Service  Set  Identifiers）、
−ＨＥＳＳＩＤ（Homogeneous  Extended  Service  Set  Identifiers）、
−ＢＳＳＩＤ（Basic  Service  Set  Identifiers）、
−領域（Realm）、及び
−ＰＬＭＮ（Public  Land  Mobile  Network）、
のうちの１つ以上であり得る。
【０１１４】
さらに、１つ以上の無線アクセスネットワークノード２１１ａ、２１１ｂ、２１２ａ、２１２ｂの識別子４５０は、ＲＲＣシグナリングを通じてネットワークノード２４０から取得されてもよい。
【０１１５】
ワイヤレス通信デバイス２５０は、モビリティセットにより識別される１つ以上の無線アクセスネットワークノード２１１ａ、２１１ｂ、２１２ａ、２１２ｂに加えて、測定報告から除外されるべき１つ以上の他の無線アクセスネットワークノードの１つ以上の識別子を取得してもよい。即ち、ワイヤレス通信デバイス２５０は、ネットワークノード２４０への測定報告から除外されるべき、第１のワイヤレス通信ネットワーク２０１において動作するさらなる無線アクセスネットワークノード２１１ａ、２１１ｂ、２１２ａ、２１２ｂの標識を取得してもよい。ワイヤレス通信デバイス２５０は、この標識を、上記のアクション４００において既に取得していてもよい。
【０１１６】
いくつかの実施形態において、ネットワークノード２４０は、ある無線アクセスネットワークについての測定値を得ることのみに関心を有し、他の無線アクセスネットワークについてはそうではない。例えばそれは、ワイヤレス通信デバイス２５０によるＷＬＡＮアグリゲーションの対象ではないかもしれない何らかのＷＬＡＮ、又は、別の事業者に属する何らかのＷＬＡＮなどであり得る。
【０１１７】
したがって、１つの実施形態において、ネットワークノード２４０は、ワイヤレス通信デバイス２５０に対し、ブラックリスト化されているものとしてワイヤレス通信デバイス２５０が考慮すべき、ＷＬＡＮ識別子などの識別子４５０のセットを提供する。識別子のこのリストは、モビリティセット、又は、ワイヤレス通信デバイス２５０がＷＬＡＮなどの無線アクセスネットワークへ接続されているか否かには非依存であってもよい。これは、例えばＲＲＣシグナリングを用いてワイヤレス通信デバイス２５０へシグナリングされ得るＷＬＡＮ識別子のリストの形式であってもよい。このことは、ワイヤレス通信デバイス２５０がＷＬＡＮなどの第１のワイヤレス通信ネットワーク２０１へ接続される前及び／又はＬＷＡが構成される前、並びに、ＬＷＡ動作中など、第１及び第２のワイヤレス通信ネットワーク２０１、２０２のアグリゲーションといったそれらネットワーク間のインタワーキングの期間中に、ワイヤレス通信デバイス２５０が測定を実行する状況において、ここでの実施形態が適用可能であることを意味する。
【０１１８】
ワイヤレス通信デバイス２５０には、他の手段により、測定報告に含まれるべきではないＷＬＡＮ識別子がさらに提供されてもよい。例えば、ワイヤレス通信デバイス２５０が接続しないものとされるＷＬＡＮを指し示すＡＮＤＳＦ（Access  Network  Discovery  and  Selection  Function）ポリシーにおいて、ワイヤレス通信デバイス２５０にＷＬＡＮ識別子が提供されてもよい。ＡＮＤＳＦは、３ＧＰＰ準拠ワイヤレス通信ネットワークについてのＳＡＥのＥＰＣ内のエンティティである。ＡＮＤＳＦの目的は、ワイヤレス通信デバイス２５０がＷｉ−Ｆｉ又はＷｉＭａｘといった非３ＧＰＰアクセスネットワークを発見することを支援し、及び、これらのネットワークへの接続を規定するルールをワイヤレス通信デバイス２５０に提供することである。
【０１１９】
１つの実施形態において、ワイヤレス通信デバイス２５０があるＷＬＡＮへ接続しないものとされることをＡＮＤＳＦポリシーが指し示す場合、ワイヤレス通信デバイス２５０は、このＷＬＡＮを、ブラックリスト化されていると見なす。ＡＮＤＳＦポリシーは、３ＧＰＰ  ＴＳ２４．３１２  ｖ１２．８．０内の第５．８．１３項に記述されている。
【０１２０】
１つの実施形態において、ワイヤレス通信デバイス２５０は、ＰＬＭＮのアイデンティティを取得してもよい。当該アイデンティティは、この、あるＰＬＭＮに適合しないＷＬＡＮを、ブラックリスト化されるものとして扱うものとするという旨を、ワイヤレス通信デバイス２５０に指し示す。ＰＬＭＮアイデンティティは、通常、事業者に固有である。例えば、ＨｏｔＳｐｏｔ２．０フレームワークにおいて、ＷＬＡＮがどのＰＬＭＮに属するのかを示す仕組みが存在する。１つの実施形態において、ワイヤレス通信デバイス２５０は、あるＰＬＭＮに適合しないＷＬＡＮを、ブラックリスト化されていると見なす。
【０１２１】
ＷＬＡＮ識別子といった、無線アクセスネットワークノード２１１ａ、２１１ｂ、２１２ａ、２１２ｂの識別子を、ＳＩＭカード上でワイヤレス通信デバイス２５０に提供することも可能であり得る。したがって、ＷＬＡＮ識別子などの識別子のセットをワイヤレス通信デバイス２５０に提供することもまた可能であってよく、ワイヤレス通信デバイス２５０はそれら識別子のセットを接続先として考慮するものとされる。１つの実施形態において、ワイヤレス通信デバイス２５０は、ＷＬＡＮがワイヤレス通信デバイス２５０のＳＩＭカード上の１つ以上の識別子に適合しない場合、当該ＷＬＡＮをブラックリスト化されていると見なす。ワイヤレス通信デバイス２５０のＳＩＭカード上で、ブラックリストを明示的に提供することも可能であり得る。１つの実施形態において、ワイヤレス通信デバイス２５０は、測定を実行する際に、そのブラックリストを考慮する。
【０１２２】
アクション４０２
ワイヤレス通信デバイス２５０は、ブラックリストを識別したか又は判定した場合、ＷＬＡＮ測定報告の仕組みにおいて当該ブラックリストを適用する。
【０１２３】
いくつかの実施形態において、ワイヤレス通信デバイス２５０は、取得される１つ以上の識別子４５０により識別される１つ以上の無線アクセスネットワークノード２１１ａ、２１１ｂ、２１２ａ、２１２ｂのうちの１つ以上が、第２のワイヤレス通信ネットワーク２０２において動作するネットワークノード２４０への測定報告から除外されるべきであると判定する。
【０１２４】
例えば、ワイヤレス通信デバイス２５０は、第１の無線アクセスネットワーク２２１に含まれる第１の無線アクセスネットワークノード２１１ａ、２１１ｂを、ネットワークノード２４０への測定報告から除外するものとされると判定してもよい。この判定は、ある時間ピリオドにわたって有効であってもよい。その時間ピリオドは、タイマにより、及び／又は、当該時間ピリオドの終了をトリガするイベントにより終了してもよい。
【０１２５】
即ち、ワイヤレス通信デバイス２５０は、ネットワークノード２４０への測定報告から、第１のワイヤレス通信ネットワーク２０１におけるワイヤレス通信デバイス２５０のモビリティが制限される識別される無線アクセスネットワークノード２１１ａ、２１１ｂ、２１２ａ、２１２ｂのうちの少なくとも１つを除外する。
【０１２６】
いくつかの実施形態において、測定報告から除外することは、識別される無線アクセスネットワークノード２１１ａ、２１１ｂ、２１２ａ、２１２ｂのうちの少なくとも１つを、測定報告をトリガすることから除外すること、を含む。例えば、測定報告から除外することは、除外される少なくとも１つの無線アクセスネットワークノード２１１ａ、２１１ｂ、２１２ａ、２１２ｂが報告イベント、即ち、測定イベントを充足する場合に、測定報告４７０をトリガしないこと、を含んでもよい。このような測定イベントは、例えば、ＷＬＡＮが閾値よりも良好になる場合に、即ち、ＷＬＡＮの信号が当該信号に関する閾値よりも良好になる場合に、充足され得る。
【０１２７】
いくつかの実施形態において、測定報告から除外することは、識別される無線アクセスネットワークノード２１１ａ、２１１ｂ、２１２ａ、２１２ｂのうちの少なくとも１つについての測定結果を、ネットワークノード２４０への測定報告４７０に含めることから除外すること、を含む。例えば、ワイヤレス通信デバイス２５０は、除外される１つ以上の無線アクセスネットワークノード２１１ａ、２１１ｂ、２１２ａ、２１２ｂについての測定結果が、ある報告基準に従って含められるべきであった場合でも、当該測定結果を含めなくてよい。測定結果は、ＷＬＡＮビーコンの受信信号強度インジケータ（ＲＳＳＩ）、（基本サービスセット）ＢＳＳ負荷におけるチャネル利用率、ＵＬバックホールレート、及びＤＬバックホールレートといった、第１のワイヤレス通信ネットワーク２０１における無線アクセスネットワークノードからの信号の様々なメトリックに関連してよい。さらに、ＬＴＥ−ＷＬＡＮアグリゲーションにおける報告基準は、以下のものであり得る：
１＞測定される結果がＷＬＡＮについてのものである場合、
２＞以下のＷＬＡＮについてのquantityConfig内の数量を最大maxReportCellsまで含むようにmeasResultを設定、
３＞ＷＬＡＮ  ＲＳＳＩの降順でＷＬＡＮを含める。即ち、３ＧＰＰ  ＴＳ３６．３３１  ｖ１３．１．０の第１３２頁に記述されているように、VarWLAN-MobilityConfig内のwlan-MobilitySet内のいかなるエントリのどのＷＬＡＮ識別子にも適合しないＷＬＡＮについて、最良のＷＬＡＮが最初に含められる。
【０１２８】
いくつかの実施形態において、ワイヤレス通信デバイス２５０は、識別される無線アクセスネットワークノード２１１ａ、２１１ｂ、２１２ａ、２１２ｂのサブセットを除外する。サブセットは、真部分集合（proper  subset）を意味する。
【０１２９】
１つの実施形態において、ワイヤレス通信デバイス２５０は、ブラックリスト化されていないＷＬＡＮが報告イベントを充足する場合にのみ、測定報告をトリガする。一方、ブラックリスト化されているＷＬＡＮについては、トリガ条件が充足される場合でも、そのＷＬＡＮが報告をトリガしなくてよい。このことは、不必要な測定報告が送信されず、よってシグナリングオーバーヘッドの量を低減し得るという利益を有する。
【０１３０】
１つの実施形態において、ワイヤレス通信デバイス２５０は、ブラックリスト化されているＷＬＡＮを測定報告に含めない。このことは、測定報告のサイズを低減し、よって、シグナリングの量を低減する。別の利点は、ワイヤレス通信デバイス２５０が、ブラックリスト化されているＷＬＡＮの代わりに、他のＷＬＡＮを測定報告に含めてよいということであり得る。
【０１３１】
ワイヤレス通信デバイス２５０が、ブラックリスト化されているＷＬＡＮを報告をトリガすべきかを判定する際に除外するものとされるのか、及び／又は、ブラックリスト化されているＷＬＡＮを測定報告を編集する際に除外するものとされるのかは、仕様において特定されてもよく、又は、ネットワークにより構成されてもよい。
【０１３２】
上で言及したように、ここでの実施形態において、ワイヤレス通信デバイス２５０は、１つのモビリティセット３７０又は複数のモビリティセット、例えばモビリティセット３７０、の１つ以上の識別子４５０に基づいて、いくつかの又は全ての測定報告手続から、どの無線アクセスネットワークノードを除外すべきかを判定する。
【０１３３】
これに加えて、ワイヤレス通信デバイス２５０は、自らの判定を、さらなる根拠にさらに基づくものとしてもよく、これについて次に以下で説明する。よって、ワイヤレス通信デバイス２５０は、ネットワークノード２４０への測定報告から除外されるべきさらなる無線アクセスネットワークノード２１１ａ、２１１ｂ、２１２ａ、２１２ｂの、受信される標識に基づいて、さらなる無線アクセスネットワークノード２１１ａ、２１１ｂ、２１２ａ、２１２ｂを、ネットワークノード２４０への測定報告からさらに除外してもよい。この標識については、アクション４０１において上で説明されている。その中でやはり説明したこととして、さらなる標識を受信する１つの可能性は、ワイヤレス通信デバイス２５０が測定について構成されるアクション４００において、そのさらなる標識を受信することである。
【０１３４】
例えば、さらに除外され得る、モビリティセットの一部ではない、さらなる無線アクセスネットワークノードが存在してもよい。また、いくつかの実施形態では、モビリティセット内に含まれる無線アクセスネットワークノード２１１ａ、２１１ｂ、２１２ａ、２１２ｂのサブセットのみが、測定報告から除外されるであろう。
【０１３５】
いくつかのシナリオでは、ワイヤレス通信デバイス２５０の接続先でないＷＬＡＮなどの無線アクセスネットワークのみを、ＵＥなどのワイヤレス通信デバイス２５０が考慮することが望まれるかもしれない。これは、ワイヤレス通信デバイス２５０が、自身の接続先である無線アクセスネットワークをブラックリストに加え得ることとして実装されてもよい。ワイヤレス通信デバイス２５０の接続先である無線アクセスネットワークをブラックリストの対象として識別することの利益は、報告される全ての無線アクセスネットワークがワイヤレス通信デバイス２５０が目下接続されていない無線アクセスネットワークであることを、この手法でｅＮＢなどのネットワークノード２４０が知得することである。留意すべきこととして、ネットワークノード２４０は、モビリティセットの範囲内で、ワイヤレス通信デバイス２５０が所与の時点でどの無線アクセスネットワークへ接続されるのかについて認識しない。
【０１３６】
いくつかの実施形態において、ワイヤレス通信デバイス２５０は、当該ワイヤレス通信デバイス２５０の接続先である３ＧＰＰネットワークのＰＬＭＮアイデンティティを知得し得る。上で言及したように、アクション４０１において、１つの実施形態では、ワイヤレス通信デバイス２５０は、あるＰＬＭＮに適合しないＷＬＡＮを、ブラックリスト化されているものと見なす。
【０１３７】
例えば、ワイヤレス通信デバイス２５０は、サービング３ＧＰＰネットワークのＰＬＭＮを判定してもよく、この場合、ワイヤレス通信デバイス２５０は、このＰＬＭＮに属しないＷＬＡＮをブラックリスト化されるものと見なしてもよい。
【０１３８】
このようにして、識別子４５０により識別される１つ以上の無線アクセスネットワークノード２１１ａ、２１１ｂ、２１２ａ、２１２ｂ、例えば、モビリティセット内のＡＰ、を除外することにより、第２のワイヤレス通信ネットワーク２０２内のシグナリングオーバーヘッドの量が低減され得る。シグナリングオーバーヘッドは、測定報告のサイズの低減により及び／又は測定報告の回数の低減により、低減され得る。
【０１３９】
別の利点は、ワイヤレス通信デバイス２５０が、ブラックリスト化される無線アクセスネットワークノード２１１ａ、２１１ｂ、２１２ａ、２１２ｂの代わりに、第１のワイヤレス通信ネットワーク２０１において動作する他の無線アクセスネットワークノードを測定報告に含めてよいことであり得る。
【０１４０】
アクション４０３ａ及び４０３ｂ
前に言及したように、ワイヤレス通信デバイス２５０のモビリティを制御するために、第１のワイヤレス通信ネットワーク２０１において動作する無線アクセスネットワークノード２１１ａ、２１１ｂ、２１２ａ、２１２ｂ、２１３ａ、２１３ｂからの信号の測定値が使用され得る。
【０１４１】
したがって、ワイヤレス通信デバイス２５０は、第１のワイヤレス通信ネットワーク２０１において動作する複数の無線アクセスネットワークノード２１１ａ、２１１ｂ、２１２ａ、２１２ｂ、２１３ａ、２１３ｂから１つ以上の信号４６１、４６３を受信し得る。
【０１４２】
例えば、図４ｂに示されるように、ワイヤレス通信デバイス２５０は、第１の無線アクセスネットワークノード２１１ａからの第１の信号４６１と、第３の無線アクセスネットワークノード２１３ａからの第２の信号４６３と、を受信してもよい。
【０１４３】
アクション４０４
ネットワークノード２４０が上でアクション４０３ａ、４０３ｂ、及び５０３において受信した信号４６１、４６３の測定値を使用するために、ワイヤレス通信デバイス２５０は、ネットワークノード２４０へ当該測定値を報告し得る。報告される測定値は、受信される１つ以上の信号４６１、４６３に関連する。
【０１４４】
測定値の報告は、取得される識別子４５０により識別される少なくとも１つの無線アクセスネットワークノード２１１ａ、２１１ｂ、２１２ａ、２１２ｂがネットワークノード２４０への測定報告から除外されるべきであるという判定に基づく。
【０１４５】
よって、いくつかの実施形態において、ワイヤレス通信デバイス２５０は、ネットワークノード２４０へ、受信される信号４６１、４６３に関連するメトリック及び／又は測定値を報告する。測定値の報告は、上のアクション４０２及び５０２における除外に基づく。
【０１４６】
次に、図５のアクションについて簡潔に説明する。
【０１４７】
アクション５０１
ワイヤレス通信デバイス２５０は、ネットワークノード２４０から、第１のワイヤレス通信ネットワーク２０１において動作する１つ以上の無線アクセスネットワークノード２１１ａ、２１１ｂ、２１２ａ、２１２ｂの識別子４５０を取得する。取得される識別子４５０は、第１のワイヤレス通信ネットワーク２０１におけるワイヤレス通信デバイス２５０のモビリティを、識別子４５０により識別される１つ以上の無線アクセスネットワークノード２１１ａ、２１１ｂ、２１２ａ、２１２ｂへ制限する。
【０１４８】
このアクションは、上記のアクション４０１及び下記のアクション６０１に関する。
【０１４９】
アクション５０２
ワイヤレス通信デバイス２５０は、ネットワークノード２４０への測定報告から、第１のワイヤレス通信ネットワーク２０１におけるワイヤレス通信デバイス２５０のモビリティが制限される識別された無線アクセスネットワークノード２１１ａ、２１１ｂ、２１２ａ、２１２ｂのうちの少なくとも１つを除外する。
【０１５０】
このアクションは、上記のアクション４０２に関する。
【０１５１】
アクション５０３
ワイヤレス通信デバイス２５０は、第１のワイヤレス通信ネットワーク２０１において動作する複数の無線アクセスネットワークノード２１１ａ、２１１ｂ、２１２ａ、２１２ｂ、２１３ａ、２１３ｂから１つ以上の信号４６１、４６３を受信し得る。
【０１５２】
このアクションは、上記のアクション４０３に関する。
【０１５３】
アクション５０４
いくつかの実施形態において、ワイヤレス通信デバイス２５０は、受信される信号４６１、４６３に関連するメトリック及び／又は測定値をネットワークノード２４０へ報告する。測定値の報告は、上記のアクション５０２における、除外することに基づく。
【０１５４】
このアクションは、上記のアクション４０４及び下記のアクション６０２に関する。
【０１５５】
次に、図６のアクションについて簡潔に説明する。
【０１５６】
アクション６０１
ネットワークノード２４０は、ワイヤレス通信デバイス２５０へ、第１のワイヤレス通信ネットワーク２０１において動作する無線アクセスネットワークノード２１１ａ、２１１ｂ、２１２ａ、２１２ｂの、識別子４５０といった１つ以上の識別子を送信する。
【０１５７】
このアクションは、上記のアクション４０１及び５０１に関する。
【０１５８】
アクション６０２
ネットワークノード２４０は、ワイヤレス通信デバイス２５０により受信される１つ以上の信号４６１、４６３に関連する測定報告４７０を受信する。それら信号は、第１のワイヤレス通信ネットワーク２０１内の１つ以上の無線アクセスネットワークノードに関連する。測定報告４７０は、アクション４０１、５０１、及び６０１において送信される識別子４５０により識別される無線アクセスネットワークノード２１１ａ、２１１ｂ、２１２ａ、２１２ｂのうちの少なくとも１つに関連する測定値を含まない。
【０１５９】
このアクションは、上記のアクション４０４及び５０４に関する
【０１６０】
上でブラックリストが定義され得る様々な方法が説明されている。適用されるものとされる、これらの方法のうちのどの１つ又はより多くが適用するものとされるかを選択する様々な手法が存在する。そのあり得る選択手法は、例えば、次を含む：
−実装に固有の基準、即ち実際のワイヤレス通信デバイスに固有の基準に基づいて、ワイヤレス通信デバイス２５０により選択される。これは、ワイヤレス通信デバイス２５０が最良の性能をもたらすことになると推定するＷＬＡＮを選択すること、を含んでもよい。これは、信号強度／品質、負荷などといった複数のメトリックに基づいて推定されてもよい；
−例えば、仕様において特定されるルールに基づいて選択される；
−ネットワーク標識に基づいて選択される。例えば、ネットワークノード２４０がワイヤレス通信デバイス２５０に標識を提供してもよい。
【０１６１】
上記の標識は、例えばＷＬＡＮ向けの測定オブジェクト（例えば、MeasObjectWLAN）においてＲＲＣでシグナリングされてもよい。
【０１６２】
ブラックリストは、モビリティセット３７０に属するＷＬＡＮとして定義されてもよい。その場合、モビリティセット３７０は、ワイヤレス通信デバイス２５０がそれらの間においてモビリティを実行し得るネットワークノードのセットであって、例えば、ＳＳＩＤ、ＢＳＳＩＤ、ＨＥＳＳＩＤ、領域、ＰＬＭＮといったＷＬＡＮ識別子のセットにより識別されるネットワークノードのセットである。モビリティは、ワイヤレス通信デバイス２５０の実装に固有の、及び／又は、ＷＬＡＮにより制御される、モビリティ決定の仕組みに基づいてもよい。
【０１６３】
ここで使用される“サービスしている（serving）”という表現は、ネットワークノード又はＷＬＡＮが、ワイヤレス通信デバイス２５０に目下サービスしていることを意味し得る。この表現は、ワイヤレス通信デバイス２５０に間もなくサービスすることが計画されているＷＬＡＮ、例えば、ワイヤレス通信デバイス２５０が接続されるＷＬＡＮ、への言及であってもよい。これにより、ワイヤレス通信デバイス２５０は、例えば、ワイヤレス通信デバイス２５０が他のＷＬＡＮへハンドオーバされたことに起因して、当該ワイヤレス通信デバイス２５０にサービスすることが意図されるＷＬＡＮを除外することが可能とされる。
【０１６４】
上で説明したように、ブラックリストは、ＷＬＡＮのセットであってもよく、それらはＷＬＡＮ識別子のセットにより定義されてもよい。それらＷＬＡＮ識別子は、ＳＳＩＤ、ＢＳＳＩＤ、ＨＥＳＳＩＤ、領域、ＰＬＭＮを含む、様々なタイプのものであり得る。ＷＬＡＮは、１つ以上の領域の一部であってもよく、及び／又は、１つ以上の領域へ接続されてもよい。領域（Realm）とは、ワイヤレス通信デバイス２５０の認証の対象であり得るドメインである。例えば、空港に位置するＷＬＡＮを運用する第１の事業者は、第２の事業者と協定を結んで、第２の事業者の顧客、及びよって、当該顧客らのワイヤレス通信デバイスが、第１の事業者のＷＬＡＮへ接続し得るようにするかもしれない。すると、第１の事業者のＷＬＡＮは、第１の事業者の領域及び第２の事業者の領域の双方へ接続される。
【０１６５】
留意すべきこととして、ＷＬＡＮは一般に、自身に関連付けられる複数の識別子を有する。例えば、ＷＬＡＮ  ＡＰは、ＢＳＳＩＤ、ＳＳＩＤ、ＨＥＳＳＩＤなどを有し得る。ＷＬＡＮは、ブラックリスト化されるＷＬＡＮ識別子のうちの１つ以上に適合する場合に、ブラックリスト化されているＷＬＡＮとして見なされてよい。例えば、いくつかの実施形態において、ブラックリストが｛ＳＳＩＤ＝Ｘ，ＢＳＳＩＤ＝Ａ，ＢＳＳＩＤ＝Ｂ｝である場合、以下の通りである：
−ＳＳＩＤ＝Ｙ、且つ、ＢＳＳＩＤ＝ＡであるＷＬＡＮは、ブラックリスト化されている。
−ＳＳＩＤ＝Ｘ、且つ、ＢＳＳＩＤ＝ＣであるＷＬＡＮは、ブラックリスト化されている。
−ＳＳＩＤ＝Ｘ、且つ、ＢＳＳＩＤ＝ＢであるＷＬＡＮは、ブラックリスト化されている。
−ＳＳＩＤ＝Ｙ、且つ、ＢＳＳＩＤ＝ＣであるＷＬＡＮは、ブラックリスト化されていない。
【０１６６】
測定報告のための方法は、ワイヤレス通信デバイス２５０により実行され得る。ワイヤレス通信デバイス２５０は、第１及び第２の無線アクセスネットワーク２２１、２２２における、無線アクセスネットワークノード２１１ａ、２１１ｂ、２１２ａ、２１２ｂといった、１つ以上の無線アクセスネットワークノードを測定報告から除外するために、図７に描かれているモジュール群を含み得る。
【０１６７】
それを行うために、ワイヤレス通信デバイス２５０は、測定報告のために構成される。上で言及したように、ここでの実施形態の文脈において、測定報告は、第１のワイヤレス通信ネットワーク２０１に関連付けられる測定値を第２のワイヤレス通信ネットワーク２０２において動作するネットワークノード２４０へ報告すること、を含む。
【０１６８】
さらに上で言及したように、第１のワイヤレス通信ネットワーク２０１は第１のＲＡＴに従って動作し、第２のワイヤレス通信ネットワーク２０２は第２のＲＡＴに従って動作する。
【０１６９】
ワイヤレス通信デバイス２５０は、ネットワークノード２４０から、第１のワイヤレス通信ネットワーク２０１において動作する１つ以上の無線アクセスネットワークノード２１１ａ、２１１ｂ、２１２ａ、２１２ｂの識別子４５０を取得するように（例えば、そうするように構成される取得モジュール７１０という手段により）構成される。取得される識別子４５０は、第１のワイヤレス通信ネットワーク２０１におけるワイヤレス通信デバイス２５０のモビリティを、識別子４５０により識別される１つ以上の無線アクセスネットワークノード２１１ａ、２１１ｂ、２１２ａ、２１２ｂへ制限する。
【０１７０】
取得モジュール７１０は、少なくとも部分的に、ワイヤレス通信デバイス２５０内のプロセッサ７８０により実装されてもよい。よって、アクション５０１は、ワイヤレス通信デバイス２５０内の取得モジュール７１０といった手段により実行されてもよい。
【０１７１】
ワイヤレス通信デバイス２５０は、第１のワイヤレス通信ネットワーク２０１におけるワイヤレス通信デバイス２５０のモビリティが制限される識別される無線アクセスネットワークノード２１１ａ、２１１ｂ、２１２ａ、２１２ｂのうちの少なくとも１つをネットワークノード２４０への測定報告から除外するように（例えば、そうするように構成される判定モジュール７２０という手段により）さらに構成される。例えば、判定モジュール７２０は、識別される無線アクセスネットワークノード２１１ａ、２１１ｂ、２１２ａ、２１２ｂのうちの少なくとも１つを除外すると判定し得る。
【０１７２】
いくつかの実施形態において、ワイヤレス通信デバイス２５０は、識別される無線アクセスネットワークノード２１１ａ、２１１ｂ、２１２ａ、２１２ｂのうちの少なくとも１つを、測定報告をトリガすることから除外する、ように構成される。
【０１７３】
いくつかの実施形態において、ワイヤレス通信デバイス２５０は、識別される無線アクセスネットワークノード２１１ａ、２１１ｂ、２１２ａ、２１２ｂのうちの少なくとも１つについての測定結果を、ネットワークノード２４０への測定報告４７０に含めることから除外する、ように構成される。
【０１７４】
ワイヤレス通信デバイス２５０は、識別される無線アクセスネットワークノード２１１ａ、２１１ｂ、２１２ａ、２１２ｂのサブセットを除外する、ように構成されてもよい。
【０１７５】
判定モジュール７２０は、少なくとも部分的に、ワイヤレス通信デバイス２５０内のプロセッサ７８０により実装されてもよい。よって、アクション５０２は、ワイヤレス通信デバイス２５０内の判定モジュール７２０といった手段により実行されてもよい。
【０１７６】
ワイヤレス通信デバイス２５０は、第１のワイヤレス通信ネットワーク２０１において動作する複数の無線アクセスネットワークノード２１１ａ、２１１ｂ、２１２ａ、２１２ｂ、２１３ａ、２１３ｂから信号４６１、４６３を受信する、ように（例えば、そうするように構成される受信モジュール７３０という手段により）構成されてもよい。
【０１７７】
受信モジュール７３０は、少なくとも部分的に、ワイヤレス通信デバイス２５０内のプロセッサ７８０により実装されてもよい。よって、アクション５０３は、ワイヤレス通信デバイス２５０内の受信モジュール７３０といった手段により実行されてもよい。
【０１７８】
いくつかの実施形態において、ワイヤレス通信デバイス２５０が複数の無線アクセスネットワークノード２１１ａ、２１１ｂ、２１２ａ、２１２ｂ、２１３ａ、２１３ｂから信号４６１、４６３を受信した場合、ワイヤレス通信デバイス２５０は、受信した信号４６１、４６３に関連するメトリック及び／又は測定値をネットワークノード２４０へ報告するように（例えば、そうするように構成される報告モジュール７４０という手段により）さらに構成される。ワイヤレス通信デバイス２５０は、第１のワイヤレス通信ネットワーク２０１におけるワイヤレス通信デバイス２５０のモビリティが制限される識別される無線アクセスネットワークノード２１１ａ、２１１ｂ、２１２ａ、２１２ｂのうちの少なくとも１つの除外に基づいて、測定値を報告する、ように構成される。
【０１７９】
報告モジュール７４０は、少なくとも部分的に、ワイヤレス通信デバイス２５０内のプロセッサ７８０により実装されてもよい。よって、アクション５０４は、ワイヤレス通信デバイス２５０内の報告モジュール７４０といった手段により実行されてもよい。
【０１８０】
いくつかの実施形態において、ワイヤレス通信デバイス２５０は、ネットワークノード２４０への測定報告から除外されるべき、第１のワイヤレス通信ネットワーク２０１において動作するさらなる無線アクセスネットワークノード２１１ａ、２１１ｂ、２１２ａ、２１２ｂの標識を取得するようにさらに（例えば、そうするように構成される取得モジュール７１０という手段により）構成される。
【０１８１】
ワイヤレス通信デバイス２５０が、除外されるべきさらなる無線アクセスネットワークノード２１１ａ、２１１ｂ、２１２ａ、２１２ｂの標識を取得した場合、ワイヤレス通信デバイス２５０は、この標識に基づいて、ネットワークノード２４０への測定報告から、さらなる無線アクセスネットワークノード２１１ａ、２１１ｂ、２１２ａ、２１２ｂを除外するように（例えば、そうするように構成される判定モジュール７２０という手段により）さらに構成されてもよい。
【０１８２】
ネットワークノード２４０は、ワイヤレス通信デバイス２５０が、第１及び第２の無線アクセスネットワーク２２１、２２２内の無線アクセスネットワークノード２１１ａ、２１１ｂ、２１２ａ、２１２ｂといった、１つ以上の無線アクセスネットワークノードを測定報告から除外することを支援するために、上で言及し及び図８に描かれているモジュール群を含み得る。
【０１８３】
アクション６０１は、ネットワークノード２４０内の送信モジュール８１０といった手段により実行されてもよい。送信モジュール８１０は、ネットワークノード２４０内のプロセッサ８８０により実装されてもよい。
【０１８４】
アクション６０２は、ネットワークノード２４０内の受信モジュール８２０といった手段により実行されてもよい。
【０１８５】
ここでの実施形態は、図７に描かれているワイヤレス通信デバイス２５０内のプロセッサ７８０及び図８に描かれているネットワークノード２４０内のプロセッサ８８０などの１つ以上のプロセッサを通じて、ここでの実施形態の機能及びアクションを実行するためのコンピュータプログラムコードと共に実装されてもよい。
【０１８６】
上で言及したプログラムコードは、例えば、ワイヤレス通信デバイス２５０及びネットワークノード２４０内にロードされた場合にここでの実施形態を実行するためのコンピュータプログラムコード７９２及び８９２、を担持するデータキャリア７９１及び８９１の形式で、コンピュータプログラムプロダクトとして提供されてもよい。
【０１８７】
１つのそのような担体は、ＣＤ  ＲＯＭディスクの形式であってもよい。しかしながら、１つのこのようなキャリアは、メモリスティックといった他のデータ担体を用いて実現可能である。コンピュータプログラムコードは、サーバ上の純粋なプログラムコードとして提供され、ワイヤレス通信デバイス２５０及びネットワークノード２４０へダウンロードされてもよい。
【０１８８】
よって、ワイヤレス通信デバイス２５０及びネットワークノード２４０のための、ここで説明した実施形態に係る方法は、コンピュータプログラムプロダクトという手段により実装されてもよく、当該コンピュータプログラムプロダクトは、少なくとも１つのプロセッサ上で実行された場合に、ワイヤレス通信デバイス２５０及びネットワークノード２４０により実行されるものとしてここで説明したアクションを当該少なくとも１つのプロセッサに遂行させる命令、即ち、ソフトウェアコード部分を含む。コンピュータプログラムプロダクトは、コンピュータ読取可能な記憶媒体上に記憶されてもよい。コンピュータ読取可能な記憶媒体は、コンピュータプログラムを記憶しており、少なくとも１つのプロセッサ上で実行された場合に、ワイヤレス通信デバイス２５０及びネットワークノード２４０により実行されるものとしてここで説明したアクションを当該少なくとも１つのプロセッサに遂行させる命令、を含み得る。いくつかの実施形態において、コンピュータ読取可能な記憶媒体は、非一時的なコンピュータ読取可能な記憶媒体であってもよい。
【０１８９】
ワイヤレス通信デバイス２５０及びネットワークノード２４０の各々は、１つ以上のメモリユニットを含むメモリ７９０及び８９０をさらに含んでもよい。メモリ７９０及び８９０は、ワイヤレス通信デバイス２５０及びネットワークノード２４０において実行された場合にここでの方法を実行するための、ＡＰ及びＷＬＡＮの識別子、無線アクセスネットワークノードからの信号の測定値、測定報告又はその一部、並びに、アプリケーションなどといった、取得される情報を記憶するために使用される、ように構成される。
【０１９０】
上で言及したように、１つ以上のワイヤレス通信ネットワークの性能を改善することが、ここでの実施形態の目的である。
【０１９１】
ここでのいくつかの第１の実施形態によれば、上記目的は、ワイヤレス通信デバイス２５０により実行される、測定報告手続のための方法によって達成される。
【０１９２】
例えば、この方法は、測定報告から１つ以上の無線アクセスネットワークノードを除外するために使用される。測定報告からの除外は、当該１つ以上の無線アクセスネットワークノードを含むようなＷＬＡＮについての報告をトリガしないことを含んでもよく、及び／又は、実際の測定報告にこのようなＷＬＡＮについての結果を含めないことを含んでもよい。
【０１９３】
ワイヤレス通信デバイス２５０は、第１のワイヤレス通信ネットワーク２０１及び第２のワイヤレス通信ネットワーク２０２において動作可能である。第１のワイヤレス通信ネットワーク２０１は第１のＲＡＴを使用する。第２のワイヤレス通信ネットワーク２０２は第２のＲＡＴを使用する。
【０１９４】
ワイヤレス通信デバイス２５０は、無線アクセスネットワークノード２１１ａ、２１１ｂ、２１２ａ、２１２ｂの１つ以上の識別子４５０を取得し得る。無線アクセスネットワークノード２１１ａ、２１１ｂ、２１２ａ、２１２ｂの１つ以上の識別子４５０は、各々１つ以上の無線アクセスネットワークノードの１つの識別子であり得る。１つ以上の無線アクセスネットワークノード２１１ａ、２１１ｂ、２１２ａ、２１２ｂは、第１のワイヤレス通信ネットワーク２０１において動作する。ワイヤレス通信デバイス２５０は、識別される１つ以上の無線アクセスネットワークノード２１１ａ、２１１ｂ、２１２ａ、２１２ｂ間においてモビリティを実行し得る。１つ以上の識別子４５０は、第２のワイヤレス通信ネットワーク２０２において動作するネットワークノード２４０から取得され得る。
【０１９５】
ワイヤレス通信デバイス２５０は、取得される１つ以上の識別子４５０により識別される１つ以上の無線アクセスネットワークノード２１１ａ、２１１ｂ、２１２ａ、２１２ｂのうちの１つ以上が第２のワイヤレス通信ネットワーク２０２において動作するネットワークノード２４０への測定報告から除外されるべきであると、さらに判定し得る。
【０１９６】
ここでのいくつかの第２の実施形態によれば、上記目的は、ネットワークノード２４０により実行される、ワイヤレス通信デバイス２５０が測定報告手続を実行することを支援するための方法によって達成される。
【０１９７】
例えば、この方法は、ワイヤレス通信デバイス２５０が、測定報告から１つ以上の無線アクセスネットワークノード２１１ａ、２１１ｂ、２１２ａ、２１２ｂを除外することを支援するために使用される。ネットワークノード２４０は第２のワイヤレス通信ネットワーク２０２において動作する。ワイヤレス通信デバイス２５０は、第２のワイヤレス通信ネットワーク２０２において動作可能である。ワイヤレス通信デバイス２５０は、第１のワイヤレス通信ネットワーク２０１においてさらに動作可能である。第１のワイヤレス通信ネットワーク２０１は第１のＲＡＴを使用する。第２のワイヤレス通信ネットワーク２０２は第２のＲＡＴを使用する。
【０１９８】
ネットワークノード２４０は、無線アクセスネットワークノード２１１ａ、２１１ｂ、２１２ａ、２１２ｂの１つ以上の識別子４５０を送信し得る。無線アクセスネットワークノード２１１ａ、２１１ｂ、２１２ａ、２１２ｂの１つ以上の識別子４５０は、各々１つ以上の無線アクセスネットワークノード２１１ａ、２１１ｂ、２１２ａ、２１２ｂの１つの識別子であり得る。ワイヤレス通信デバイス２５０は、１つ以上の無線アクセスネットワークノード２１１ａ、２１１ｂ、２１２ａ、２１２ｂ間においてモビリティを実行し得る。
【０１９９】
無線アクセスネットワークノード２１１ａ、２１１ｂ、２１２ａ、２１２ｂの、送信される識別子４５０は、当該送信される識別子４５０により識別される無線アクセスネットワークノード２１１ａ、２１１ｂ、２１２ａ、２１２ｂのうちの１つ以上がネットワークノード２４０への測定報告から除外されるべきであるという標識である。
【０２００】
ここでのいくつかの第３の実施形態によれば、上記目的は、上記の第１の実施形態に係る方法を実行する、ように構成されるワイヤレス通信デバイス２５０によって達成される。
【０２０１】
ここでのいくつかの第４の実施形態によれば、上記目的は、第２の実施形態に係る方法を実行する、ように構成されるネットワークノード２４０によって達成される。
【０２０２】
“含む／備える（comprise）”又は“含む／備える（comprising）”という語を使用する場合、この語は、非限定的なものとして、即ち、“から少なくともなる（consist  at  least  of）”の意味として、解釈されるものとされる。
【０２０３】
前述の説明及び関連付けられる図面に提示された教示の恩恵を受ける、開示された実施形態の変形例及び他の実施形態が、当業者には思い浮かぶであろう。したがって、理解されるべきこととして、それら実施形態は、開示される特定の実施形態に限定されるべきではなく、本開示のスコープの範囲内に変形例及び他の実施形態が含まれることが意図される。ここでは固有の用語が採用されているかもしれないが、それらは総称的及び記述的な意味合いでのみ使用されており、限定の目的では使用されていない。
【０２０４】
したがって、そのスコープを上記の実施形態が限定するものと見なされるべきではなく、当該スコープは添付の特許請求の範囲により定義されている。
【０２０５】
なお、ここでの実施形態を例示するために、本開示において３ＧＰＰ  ＬＴＥ／ＳＡＥ及びＷｉ−Ｆｉからの専門用語が使用されているものの、これはここでの実施形態のスコープを前述のネットワークのタイプのみに限定するものとして見られるべきではない。他のワイヤレスネットワークのタイプもまた、本開示の範囲内でカバーされるアイディアを活用することから恩恵を受け得る。
【０２０６】
また、第１の無線アクセスネットワークノード及び第２の無線アクセスネットワークノードといった専門用語は、非限定的であると見なされるべきであり、これら二者間の何らの階層関係をも特に暗示するものではないことにも留意されたい。
【図１ａ】
0006723339.tif 000002
【図１ｂ】
0006723339.tif 000003
【図１ｃ】
0006723339.tif 000004
【図２】
0006723339.tif 000005
【図３】
0006723339.tif 000006
【図４ａ】
0006723339.tif 000007
【図４ｂ】
0006723339.tif 000008
【図５】
0006723339.tif 000009
【図６】
0006723339.tif 000010
【図７】
0006723339.tif 000011
【図８】
0006723339.tif 000012